(57)【特許請求の範囲】
【請求項１】
遊技盤に区画形成された遊技領域内の始動入賞領域への遊技球の入賞に基づいて演出表示を表示部で実行可能な表示装置と、前記遊技領域のうち前記表示装置の前方に配置され、前記表示部を臨ませる表示開口部が中央部分に開設された枠体構造のセンターケースユニットと、を備えた遊技機において、
前記センターケースユニットは、
前記遊技領域の一側縁を区画する側縁区画壁と、
該側縁区画壁から前記表示開口部側に離間した状態で側縁区画壁に沿って形成されたガイド壁と、
前記側縁区画壁と前記ガイド壁とにより区画形成され、遊技球が流下可能な球流下領域と、を備え、
該球流下領域を前記センターケースユニットの前方から流下領域装飾カバーで被覆したことを特徴とする遊技機。
【請求項２】
前記流下領域装飾カバーを透光性部材で形成したことを特徴とする請求項１に記載の遊技機。
【請求項３】
前記球流下領域は、遊技球を受け入れる球入口を前記遊技領域のうち前記センターケースユニットの上方へ向けて開口し、遊技球を放出する球出口を前記遊技領域のうち前記センターケースユニットの下方へ向けて開口したことを特徴とする請求項１または請求項２に記載の遊技機。
【請求項４】
前記流下領域装飾カバーの側縁部を前記表示開口部側へ延出して装飾パネルを形成し、該装飾パネルと前記表示装置との間には、装飾本体部の作動により装飾効果を発揮する可動役物ユニットを備えたことを特徴とする請求項１から請求項３のいずれかに記載の遊技機。
【請求項５】
前記装飾パネルには、前記装飾本体部を前記センターケースユニットの前方から視認可能とする装飾視認窓部を設けたことを特徴とする請求項４に記載の遊技機。
【請求項６】
前記演出表示の進行に関連して作動する演出用役物装置を備え、
該演出用役物装置には、昇降役物本体部を昇降させて装飾効果を発揮する昇降役物ユニットと、回動可能な回動装飾部が搭載されたユニットベースを上下動させて装飾効果を発揮する上下動役物ユニットと、を含み、
前記昇降役物ユニットを前記表示開口部の下縁部と前記表示装置との間に配置し、
前記上下動役物ユニットを前記表示開口部の上縁部と前記表示装置との間に配置したことを特徴とする請求項１から請求項５のいずれかに記載の遊技機。
【発明の詳細な説明】
【技術分野】
【０００１】
本発明は、演出表示を表示部で実行可能な表示装置と、該表示装置の前方に配置された枠体構造のセンターケースユニットと、演出表示の進行に関連して作動する演出用役物装置と、を備えたパチンコ遊技機等の遊技機に関する。
【背景技術】
【０００２】
従来の遊技機、例えば、パチンコ遊技機においては、遊技盤の表面に遊技領域を区画形成し、該遊技領域には始動口等の始動入賞領域や表示開口部が開設された枠体構造のセンターケースユニット等を配置し、演出表示を実行可能な表示装置（変動表示装置）の表示部を表示開口部から前方へ臨ませたものがある。そして、始動入賞領域に遊技球が入賞（始動入賞）することに基づいて、変動表示ゲームが始動して表示装置の表示部に複数の識別情報（図柄、記号など）を変動表示し、所定時間経過後に停止した複数の識別情報の態様が予め定められた特別結果態様であった場合には特別遊技状態（大当り状態）となり、遊技者が多くの利益（賞球）を獲得可能となる。
【０００３】
また、この種のパチンコ遊技機では、例えば、センターケースユニットを遊技領域の略中央に配置し、センターケースユニットの表示開口部の下縁部には横長なステージ部を備えて遊技球を転動可能とする旨が提案されている（例えば、特許文献１参照）。
【先行技術文献】
【特許文献】
【０００４】
【特許文献１】特開２００５−２３００５３号公報
【発明の概要】
【発明が解決しようとする課題】
【０００５】
ところで、近年では、表示装置を大型にして演出効果を高めようとする傾向にあり、表示装置の大型化に伴ってセンターケースユニットも大型化している。センターケースユニットを大型化すると、遊技領域の一側縁に遊技球を流下させることができなくなる場合があり、この場合、遊技領域が圧迫されて狭くなったという印象を遊技者に与え易くなり、遊技の興趣を低減させる虞がある。
【０００６】
本発明は、上記の事情に鑑みてなされたものであり、その目的は、センターケースユニットを大型化したとしても、遊技領域の一側縁に遊技球を流下させることができる遊技機を提供しようとするものである。
【課題を解決するための手段】
【０００７】
本発明は、上記目的を達成するために提案されたものであり、請求項１に記載のものは、遊技盤に区画形成された遊技領域内の始動入賞領域への遊技球の入賞に基づいて演出表示を表示部で実行可能な表示装置と、前記遊技領域のうち前記表示装置の前方に配置され、前記表示部を臨ませる表示開口部が中央部分に開設された枠体構造のセンターケースユニットと、を備えた遊技機において、
前記センターケースユニットは、
前記遊技領域の一側縁を区画する側縁区画壁と、
該側縁区画壁から前記表示開口部側に離間した状態で側縁区画壁に沿って形成されたガイド壁と、
前記側縁区画壁と前記ガイド壁とにより区画形成され、遊技球が流下可能な球流下領域と、を備え、
該球流下領域を前記センターケースユニットの前方から流下領域装飾カバーで被覆したことを特徴とする遊技機である。
【０００８】
請求項２に記載のものは、前記流下領域装飾カバーを透光性部材で形成したことを特徴とする請求項１に記載の遊技機である。
【０００９】
請求項３に記載のものは、前記球流下領域は、遊技球を受け入れる球入口を前記遊技領域のうち前記センターケースユニットの上方へ向けて開口し、遊技球を放出する球出口を前記遊技領域のうち前記センターケースユニットの下方へ向けて開口したことを特徴とする請求項１または請求項２に記載の遊技機である。
【００１０】
請求項４に記載のものは、前記流下領域装飾カバーの側縁部を前記表示開口部側へ延出して装飾パネルを形成し、該装飾パネルと前記表示装置との間には、装飾本体部の作動により装飾効果を発揮する可動役物ユニットを備えたことを特徴とする請求項１から請求項３のいずれかに記載の遊技機である。
【００１１】
請求項５に記載のものは、前記装飾パネルには、前記装飾本体部を前記センターケースユニットの前方から視認可能とする装飾視認窓部を設けたことを特徴とする請求項４に記載の遊技機である。
【００１２】
請求項６に記載のものは、前記演出表示の進行に関連して作動する演出用役物装置を備え、
該演出用役物装置には、昇降役物本体部を昇降させて装飾効果を発揮する昇降役物ユニットと、回動可能な回動装飾部が搭載されたユニットベースを上下動させて装飾効果を発揮する上下動役物ユニットと、を含み、
前記昇降役物ユニットを前記表示開口部の下縁部と前記表示装置との間に配置し、
前記上下動役物ユニットを前記表示開口部の上縁部と前記表示装置との間に配置したことを特徴とする請求項１から請求項５のいずれかに記載の遊技機である。
【発明の効果】
【００１３】
本発明によれば、以下のような優れた効果を奏する。
請求項１に記載の発明によれば、遊技盤に区画形成された遊技領域内の始動入賞領域への遊技球の入賞に基づいて演出表示を表示部で実行可能な表示装置と、遊技領域のうち表示装置の前方に配置され、表示部を臨ませる表示開口部が中央部分に開設された枠体構造のセンターケースユニットと、を備えた遊技機において、センターケースユニットは、遊技領域の一側縁を区画する側縁区画壁と、該側縁区画壁から表示開口部側に離間した状態で側縁区画壁に沿って形成されたガイド壁と、側縁区画壁とガイド壁とにより区画形成され、遊技球が流下可能な球流下領域と、を備え、該球流下領域をセンターケースユニットの前方から流下領域装飾カバーで被覆したので、センターケースユニットを大型化したとしても、遊技領域の一側縁に遊技球を流下させることができる。したがって、遊技球の移動範囲が狭くなったという印象を遊技者に与え難くすることができ、遊技の興趣の低減を抑えることができる。
【００１４】
請求項２に記載の発明によれば、流下領域装飾カバーを透光性部材で形成したので、球流下領域内の遊技球の挙動を流下領域装飾カバーを通して遊技者に見せることができ、遊技の興趣の向上を図ることができる。
【００１５】
請求項３に記載の発明によれば、球流下領域は、遊技球を受け入れる球入口を遊技領域のうちセンターケースユニットの上方へ向けて開口し、遊技球を放出する球出口を遊技領域のうちセンターケースユニットの下方へ向けて開口したので、遊技者は、遊技球が遊技領域の上部から下部に亘って大きく移動する挙動を観賞することができ、遊技の興趣を一層向上させることができる。
【００１６】
請求項４に記載の発明によれば、流下領域装飾カバーの側縁部を表示開口部側へ延出して装飾パネルを形成し、該装飾パネルと表示装置との間には、装飾本体部の作動により装飾効果を発揮する可動役物ユニットを備えたので、球流下領域内の遊技球の挙動と可動役物ユニットにおける演出動作との相乗効果を期待することができ、遊技の興趣の更なる向上を図ることができる。
【００１７】
請求項５に記載の発明によれば、装飾パネルには、装飾本体部をセンターケースユニットの前方から視認可能とする装飾視認窓部を設けたので、遊技者が可動役物ユニットにおける演出動作を視認し易い。
【００１８】
請求項６に記載の発明によれば、演出表示の進行に関連して作動する演出用役物装置を備え、該演出用役物装置には、昇降役物本体部を昇降させて装飾効果を発揮する昇降役物ユニットと、回動可能な回動装飾部が搭載されたユニットベースを上下動させて装飾効果を発揮する上下動役物ユニットと、を含み、昇降役物ユニットを表示開口部の下縁部と表示装置との間に配置し、上下動役物ユニットを表示開口部の上縁部と表示装置との間に配置したので、演出動作を実行可能な構成要素を複数備えることができ、複雑な演出を遊技者に見せることができる。また、センターケースユニットを従来よりも大型化すれば、演出動作用の構成要素を配置する空間部を十分に確保することができ、複数の演出動作用の構成要素を備え易くすることができる。
【図面の簡単な説明】
【００１９】
【図１】パチンコ遊技機の斜視図である。
【図２】遊技盤の正面図である。
【図３】遊技盤の分解斜視図である。
【図４】センターケースユニットの分解斜視図である。
【図５】ステージ部の説明図であり、（ａ）は周辺の構造を含む分解斜視図、（ｂ）は断面図である。
【図６】入賞誘導路の説明図であり、（ａ）は斜視図、（ｂ）は断面図である。
【図７】側部装飾部材の説明図であり、（ａ）は正面図、（ｂ）は背面図、（ｃ）は上方背面側から見た斜視図である。
【図８】側部装飾部材とケース接続部材との間の隙間を示す説明図である。
【図９】枠体基部の分解斜視図である。
【図１０】第１可動役物ユニットの斜視図である。
【図１１】第１可動役物ユニットの分解斜視図である。
【図１２】第１ユニット駆動機構の説明図である。
【図１３】第１本体駆動機構の分解斜視図である。
【図１４】第１ユニットベースが第１ユニット動作を実行している途中の遊技盤の正面図である。
【図１５】第１ユニットベースが下死点に到達した状態の遊技盤の正面図である。
【図１６】第２可動役物ユニットの斜視図である。
【図１７】第２可動役物ユニットの分解斜視図である。
【図１８】第２本体駆動機構の説明図であり、（ａ）は背面図、（ｂ）は側面図である。
【図１９】昇降役物ユニットの斜視図である。
【図２０】第１昇降装飾ユニットと第２昇降装飾ユニットとを昇降駆動機構で連結した状態を示す説明図であり、（ａ）は正面図、（ｂ）は背面図である。
【図２１】昇降役物ユニットの分解斜視図である。
【図２２】第１昇降役物本体部に実装された第１昇降発光体の説明図である。
【図２３】（ａ）は第１昇降装飾ユニットの分解斜視図、（ｂ）は第１ステージ側役物本体部と第１中間役物本体部との係合箇所を示す説明図である。
【図２４】下降状態に変換した昇降役物ユニットの説明図である。
【図２５】上昇状態に変換した昇降役物ユニットの説明図である。
【図２６】昇降駆動機構の説明図であり、（ａ）は正面図、（ｂ）は要部の斜視図である。
【図２７】上昇状態における昇降駆動機構の説明図である。
【図２８】第１装飾重合状態の第１昇降装飾ユニットを前方から見た斜視図である。
【図２９】第１装飾重合状態の第１昇降装飾ユニットを後方から見た斜視図である。
【図３０】第１装飾展開状態の第１昇降装飾ユニットを後方から見た斜視図である。
【図３１】第１昇降ユニットアーム内に通された第１供給配線の説明図である。
【図３２】（ａ）は補助演出ユニットの斜視図、（ｂ）は導光板の断面図である。
【図３３】（ａ）は照明装置の分解斜視図、（ｂ）は照明装置における光の拡散の模式図である。
【図３４】遊技制御装置を中心に示した制御系統のブロック図である。
【図３５】演出制御装置を中心に示した制御系統のブロック図である。
【図３６】変動表示装置と昇降役物ユニットの動作を示すタイムチャートである。
【図３７】第１ユニットベースの動作と補助演出ユニットの補助表示とを示すタイムチャートである。
【図３８】第１ユニットベースの第１ユニット動作と補助演出ユニットの補助表示との連動を示す説明図であり、（ａ）は第１ユニットベースが上昇状態から下方へ移動している途中の補助表示を示す説明図、（ｂ）は第１ユニットベースが下降状態に変換した際の補助表示を示す説明図である。
【発明を実施するための形態】
【００２０】
以下、代表的な遊技機であるパチンコ遊技機を例に挙げて本発明の実施の形態を図面に基づき説明する。
パチンコ遊技機１は、図１に示すように、矩形状の機枠（外枠）２に前面枠（内枠）３を開閉可能な状態で軸着し、該前面枠３には矩形状の遊技盤５（図２参照）を前方から収納可能としている。また、前面枠３の前側には、側部（図１中、左側）が軸着された透明部材保持枠８を開閉可能に設け、該透明部材保持枠８に透視可能な透明部材９を保持し、透明部材９を通して遊技盤５の表面をパチンコ遊技機１の前方から透視できるように構成している。さらに、透明部材保持枠８の下部には上皿ユニット１１を設け、透明部材保持枠８の下方には下皿ユニット１２を上皿ユニット１１に対して左右方向にずれた位置に配置している。また、下皿ユニット１２の一側方（図１中、右側方）には、発射装置（図示せず）を操作するための発射操作ユニット（発射操作ハンドル）１４を備え、他側方（図１中、左側方）には下側スピーカ１５を備えている。さらに、上皿ユニット１１の前側には、遊技中に遊技者が操作するための遊技演出用ボタン１８を備え、透明部材保持枠８の上縁部の左右両側には可動式の発光装置（ムービングライト）２０を備え、該発光装置２０の下方には上側スピーカ２１を備えている。
【００２１】
遊技盤５は、図２および図３に示すように、合板やプラスチックなどで形成された矩形状の遊技盤本体２２を備え、該遊技盤本体２２の表面に複数のサイドケース２４を止着して遊技領域２５を区画形成し、遊技領域２５の側方（図２中、左側方）には、発射装置から発射された遊技球を遊技領域２５の一側上部まで案内する発射球案内路２６をガイドレール２７により縦長な円弧状に形成している。また、遊技領域２５内の略中央に包囲枠体３０を備え、該包囲枠体３０の前側部を遊技盤本体２２の前側に突出した状態で配置するとともに、後側部を遊技盤本体２２の裏側に突出した状態で配置し、包囲枠体３０の後方には変動表示装置３１（本発明における表示装置に相当）を備え、複数（本実施形態では３つ）の識別情報を変動表示させる変動表示ゲーム（第１特図変動表示ゲーム、第２特図変動表示ゲーム）の演出表示を変動表示装置３１の前面に設けられた表示部３１ａで表示可能としている。なお、表示部３１ａにおいては、変動表示領域３１ｂを表示部３１ａの左右方向に沿って複数（本実施形態では３つ）横並びに設定し、変動表示領域３１ｂ毎に識別情報を上下方向に変動する表示を行って、変動表示ゲームの演出表示を実行するように構成されている。
【００２２】
また、遊技盤５のうち遊技領域２５を挟んで発射球案内路２６とは反対側（図２中、右側）に止着された２つのサイドケース２４の間（上側サイドケース２４ａと下側サイドケース２４ｂとの間）には縦長なケース接続部材３３を遊技盤５の側縁に沿って配置し、上側サイドケース２４ａの下端と下側サイドケース２４ｂの上端とをケース接続部材３３で接続している。さらに、上側サイドケース２４ａの円弧状の下縁部の途中にはゴム等の弾性材で構成された緩衝部材３４を配置し、発射球案内路２６からサイドケース２４に沿って移動してきた遊技球を緩衝部材３４へ衝接して該遊技球の飛翔勢を減衰させるように構成されている。
【００２３】
そして、遊技領域２５のうち包囲枠体３０の一側方（図１中、左側方）には普図始動ゲート３６を配置し、遊技球の普図始動ゲート３６への入賞（通過）を契機として普図変動表示ゲームを実行可能としている。また、包囲枠体３０の下方には第１始動口４１と第２始動口４２とからなる始動入賞領域４３を設けている。具体的には、包囲枠体３０の左右方向の中央部の直下に第１始動口４１を備え、該第１始動口４１の直下には、羽根状の普通電動役物４２ａが左右に備えられた第２始動口４２を備え、第１始動口４１への遊技球の入賞に基づいて変動表示装置３１が表示部３１ａで第１特図変動表示ゲームの演出表示（識別情報の変動表示）を実行し、第２始動口４２への遊技球の入賞に基づいて変動表示装置３１が表示部３１ａで第２特図変動表示ゲームの演出表示（識別情報の変動表示）を表示するように設定されている。さらに、該第２始動口４２の下方には大入賞口（アタッカー）４５を配置し、大入賞口４５の左右両側方には、発光により各種の装飾表示を行うサイドランプ４６を配置し、該サイドランプ４６に一般入賞口４７を備えている。そして、大入賞口４５の下方に位置する遊技領域２５の下端には、入賞せずに流下してきた遊技球を回収するアウト口４８を設け、遊技領域２５のうち包囲枠体３０、普図始動ゲート３６、始動入賞領域４３、サイドランプ４６、大入賞口４５等の取付部分を除いた箇所には複数の遊技釘（図示せず）を植設している。また、下側サイドケース２４ｂには一括表示装置４９を備え、該一括表示装置４９において普図変動表示ゲーム、特図変動表示ゲーム、遊技状態の表示を行う。
【００２４】
次に、包囲枠体３０について説明する。
包囲枠体３０は、図３に示すように、遊技盤本体２２の表面側に前側部として配置されるセンターケースユニット（装飾枠部）５１と、遊技盤本体２２の裏面側に後側部として配置される枠体基部５２とを備えて構成されており、遊技盤本体２２の中央部に開設された大きな枠体装着開口部２２ａに、センターケースユニット５１と枠体基部５２とで遊技盤本体２２を前後から挟む状態で装着されている。また、包囲枠体３０には、変動表示装置３１における演出表示の進行に関連して作動する演出用役物装置５４を複数種類備え、例えば、各演出用役物装置５４が変動表示ゲームの演出表示の進行状況毎に予め設定された態様で作動するように構成されている。なお、各演出用役物装置５４については、後で詳細に説明する。
【００２５】
センターケースユニット５１は、遊技領域２５のうち変動表示装置３１の前方に配置された枠体構造のユニットであり、当該センターケースユニット５１の中央部分には表示開口部５６が遊技盤５の表裏方向へ貫通する状態で開設され、該表示開口部５６から変動表示装置３１の表示部３１ａを遊技盤５の前方へ臨ませている。具体的な構造を説明すると、図４に示すように、遊技盤本体２２の表面のうち枠体装着開口部２２ａの開口縁に沿って止着される環状の装飾ベース５７を備え、該装飾ベース５７の上部には庇状の鎧部５８を左右両側方へ向けて下り傾斜した状態で備えるとともに、装飾ベース５７よりも前方へ突出した状態に設定している。また、鎧部５８のうち普図始動ゲート３６側（図４中、左側）の傾斜下端から縦長な側辺部５９を装飾ベース５７よりも前方へ突出した状態で備え、鎧部５８と側辺部５９とで円弧状の壁を形成して遊技球（詳しくは遊技領域２５内を包囲枠体３０の上方から流下してくる遊技球）が鎧部５８や側辺部５９に当接可能とし、遊技球が包囲枠体３０の内部へ入ることを規制している。そして、装飾ベース５７の下部には、上面に遊技球が横方向（遊技盤５の表裏方向および左右方向）へ転動可能なステージ部６０を遊技盤５の左右方向に沿って横長に延設し、装飾ベース５７の前面のうち表示開口部５６およびステージ部６０を挟んで側辺部５９とは反対側（図４中、右側）には、センターケースユニット５１の一側を装飾する側部装飾部材６２を止着している。
【００２６】
さらに、側辺部５９の前面には、当該側辺部５９を装飾する側辺装飾部材６３を止着し（図５参照）、側辺部５９の内部には、遊技球をステージ部６０へ誘導可能な球導入路（ワープ流路）６４を設けている。そして、図２に示すように、球導入路６４の入口６４ａをセンターケースユニット５１の外方（詳しくは遊技領域２５のうち普図始動ゲート３６よりも上方の位置）へ向けて開放した状態で開設し、球導入路６４の出口６４ｂをステージ部６０の側端部へ連通している。なお、球導入路６４の入口６４ａを普図始動ゲート３６よりも上方に配置したことにより、球導入路６４の入口６４ａを普図始動ゲート３６よりも下方に配置した場合（言い換えると、普図始動ゲート３６を通過した遊技球が球導入路６４の入口６４ａに向かって流下し得る設定）と比べて、普図始動ゲート３６への遊技球の誘導度合い（入賞度合い）を左右する遊技釘の位置設定が球導入路６４への遊技球の流入度合い（ステージ部６０への誘導度合い）にも影響してしまうことを避け易い。
【００２７】
表示開口部５６の下縁に位置するステージ部６０は、図４および図５に示すように、左右両側から中央部へ向けて下り傾斜した略円弧状の透光性部材（例えば透明な合成樹脂）で形成され、当該ステージ部６０の中央部（左右方向の中央部）を上方へ緩やかに隆起している。また、ステージ部６０の左右方向の途中には、遊技球を前方へ案内可能な球放出部６６を複数箇所、具体的には、ステージ部６０の中央の隆起部の左右両側方、言い換えるとステージ部６０のうち始動入賞領域４３（第１始動口４１、第２始動口４２）の直上から外れた位置に配置している。そして、球放出部６６の底面をその左右方向の中央部分が下方に凹む湾曲面で形成し、この湾曲面を前方へ下り傾斜した状態に設定して、球放出部６６に到達した遊技球が球放出部６６上を左右に揺動しながらステージ部６０の前方へ転動して遊技領域２５のうち始動入賞領域４３から側方にはずれた箇所へ放出できるように構成されている。
【００２８】
さらに、ステージ部６０の左右方向の中央部には入賞誘導路６７を始動入賞領域４３の直上へ向けて下り傾斜した溝状に形成し、入賞誘導路６７に到達した遊技球が入賞誘導路６７の下り傾斜方向に沿って流下して遊技領域２５のうち始動入賞領域４３の直上へ放出できるように構成されている。また、図６に示すように、入賞誘導路６７の左右両側縁には球進入阻止突起６８をステージ部６０の表面よりも上方へ突設し、ステージ部６０上の遊技球が入賞誘導路６７に側方から進入することを阻止している。この結果、入賞誘導路６７がステージ部６０上の遊技球を当該入賞誘導路６７の傾斜上端のみから受け入れ可能となり、入賞誘導路６７に誘導される遊技球がステージ部６０の左右方向に沿った転動勢を残したまま遊技領域２５へ放出されること、さらには始動入賞領域４３の直上から側方へ逸れて始動入賞領域４３へ入賞し難くなることを抑えている。なお、右側の球放出部６６とステージ部６０の右端部との間、左側の球放出部６６とステージ部６０の左端部との間、左右両側の球放出部６６と入賞誘導路６７との間には、それぞれ落下阻止片６９をステージ部６０の前縁部から上方へ突出し、遊技球がステージ部６０のうち球放出部６６から外れた位置から前方へ落下することを阻止している。
【００２９】
また、図４および図５に示すように、ステージ部６０の後方には、透光性部材（例えば透明な合成樹脂）で形成された仕切り壁部７１を止着してステージ部６０と後述する演出用役物装置５４の一部との間に位置させている。そして、仕切り壁部７１の上部をステージ部６０から上方へ立設し、仕切り壁部７１の上端からは庇状の透明なステージ天井部７２を遊技盤５の前方へ向けて延設し、ステージ部６０上の遊技球がステージ部６０の後方や上方へ外れる不都合、ひいては変動表示装置３１や演出用役物装置５４に衝突する不都合を仕切り壁部７１およびステージ天井部７２により阻止している。さらに、仕切り壁部７１のうち側辺部５９側に位置する端部からは球導入路６４の後部を区画する球導入区画壁７３を延設し、仕切り壁部７１のうち変動表示装置３１側に位置する裏面には、凹凸による装飾模様が施された透明な仕切り装飾板７４を止着している（図４参照）。
【００３０】
センターケースユニット５１の側部を装飾する側部装飾部材６２は、図７に示すように、遊技領域２５の側縁部寄り（図７（ａ）中、右寄り）に位置する領域区画部７７と、該領域区画部７７よりも表示開口部５６側（図７（ａ）中、左側）に位置する装飾パネル７８とを備えて構成されている。領域区画部７７は、側部装飾部材６２の一側縁（図７（ａ）中、右側縁）に位置する縦長円弧状の側縁区画壁８０を備え、該側縁区画壁８０から表示開口部５６側（図７（ａ）中、左側）に離間した位置には縦長円弧状のガイド壁８１を側縁区画壁８０に沿って形成し、側縁区画壁８０とガイド壁８１との離間距離を遊技球の直径よりも広く設定して、遊技球が流下可能な球流下領域８２を側縁区画壁８０とガイド壁８１とにより区画形成している。また、側縁区画壁８０をサイドケース２４およびケース接続部材３３に沿って延在させるとともにサイドケース２４およびケース接続部材３３から表示開口部５６側へ僅かに離間、詳しくは遊技球が通過不能な間隔で離間し（図８参照）、側縁区画壁８０により遊技領域２５の一側縁（変動表示装置３１を挟んで発射球案内路２６とは反対側に位置する側縁）を区画するとともに、この区画された遊技領域２５の一側縁に沿って球流下領域８２を設定して遊技球が通過できるように構成されている。
【００３１】
さらに、側縁区画壁８０の前縁とガイド壁８１の前縁との間には、透光性部材で形成された流下領域装飾カバー８４を備えて球流下領域８２をセンターケースユニット５１の前方から被覆し、球流下領域８２内の遊技球が流下領域装飾カバー８４を通して視認できるように構成されている。また、側縁区画壁８０の後縁とガイド壁８１の後縁とを装飾ベース５７の前面へ当接して、装飾ベース５７の側部により球流下領域８２をセンターケースユニット５１の後方から閉塞している（図３および図４参照）。そして、球流下領域８２に遊技球を受け入れる球入口８２ａを遊技領域２５のうちセンターケースユニット５１の上方へ向けて開口し、球流下領域８２から遊技球を放出する球出口８２ｂを遊技領域２５のうちセンターケースユニット５１の下方へ向けて開口している（図２参照）。また、球入口８２ａにおいては、側縁区画壁８０の上部およびガイド壁８１の上部を表示開口部５６側へ湾曲して、緩衝部材３４の直下から表示開口部５６側（発射球案内路２６側）にずれた位置に設定し、緩衝部材３４に衝接した遊技球が球入口８２ａに進入し易いように構成されている。さらに、球流下領域８２には複数の衝接突起８５を当該球流下領域８２の延在方向に沿って側縁区画壁８０およびガイド壁８１から互い違いに突設し、球流下領域８２内を流下する遊技球を衝接突起８５に衝接させて落下勢を減衰可能としている。なお、領域区画部７７の上下方向の中間部分には止着作業開口８６を開設して装着ベースの前面の一部を露出させ、該止着作業開口８６から止着具や工具を挿入して装飾ベース５７を遊技盤本体２２へ止着できるように構成されている。
【００３２】
装飾パネル７８は、流下領域装飾カバー８４の側縁部を表示開口部５６側へ延出して形成されたパネルであり、当該装飾パネル７８の前面の一部には複数の文字や模様で施された不透明状態のパネル装飾部８８を備え、装飾パネル７８のうちパネル装飾部８８から外れた箇所を装飾視認窓部８９とし、装飾パネル７８の後方に位置する演出用役物装置５４の一部をセンターケースユニット５１の前方から装飾視認窓部８９を通して視認可能としている。
【００３３】
次に、枠体基部５２について説明する。
枠体基部５２は、図３および図９に示すように、遊技盤５の裏面側に止着される額縁状の基部ケース９１を前側が開放した状態で備え、該基部ケース９１の後部には矩形状の開口窓９１ａを遊技盤５の表裏方向へ貫通して開設し、基部ケース９１の後方から変動表示装置３１を装着して、変動表示装置３１の表示部３１ａを開口窓９１ａおよびセンターケースユニット５１の表示開口部５６から包囲枠体３０の前方へ臨ませている。さらに、開口窓９１ａの周縁の前側には、複数の演出用役物装置５４（演出役物ユニット９５、昇降役物ユニット９６）を備えている。
【００３４】
詳しくは、開口窓９１ａの外周縁の前側には額縁状のユニット取付枠９７を備え、該ユニット取付枠９７の内側開口の上縁部および左右両側縁部には複数の装飾材９８を止着している。また、ユニット取付枠９７の上辺部の前面には、演出役物ユニット９５の一部を構成する第１可動役物ユニット１０１を装着して表示開口部５６の上縁部と変動表示装置３１との間に配置し、ユニット取付枠９７のうち装飾パネル７８側に位置する右側辺部の前面には、演出役物ユニット９５の一部を構成する第２可動役物ユニット１０２を装着して装飾パネル７８と変動表示装置３１との間に配置している。さらに、ユニット取付枠９７のうち球導入路６４側に位置する左側辺部の前面には、ＬＥＤ等の発光体が実装された取付枠発光基板１０４を装着して透明な取付枠レンズカバー１０５で前方から被覆し、ユニット取付枠９７の下辺部には昇降役物ユニット９６を装着して仕切り壁部７１（詳しくは表示開口部５６の下縁部に位置する仕切り壁部７１）と変動表示装置３１との間に配置している。そして、図２および図３に示すように、第１可動役物ユニット１０１が表示部３１ａの上方に位置し、第２可動役物ユニット１０２が装飾パネル７８により前方から被覆された状態で表示部３１ａの側方に位置し、昇降役物ユニット９６が仕切り壁部７１により前方から被覆された状態で表示部３１ａの下方に位置するように構成されている。
【００３５】
演出役物ユニット９５は、第１可動役物ユニット１０１（本発明における上下動役物ユニットに相当）と第２可動役物ユニット１０２（本発明における可動役物ユニットに相当）とを備えて演出動作を実行可能なユニットである。第１可動役物ユニット１０１は、図１０および図１１に示すように、ユニット取付枠９７に止着される横長な可動役物ベースパネル１１０を備え、該可動役物ベースパネル１１０の前面の球導入路６４寄り（図１１中、左寄り）には、ＬＥＤ等の発光体が実装されたベース発光部（図示せず）を止着して透光性を有するベース装飾レンズカバー１１１で被覆し、ベース発光部から発生する光をベース装飾レンズカバー１１１に通して可動役物ベースパネル１１０の前方へ照射可能としている。また、可動役物ベースパネル１１０の前面のうち球流下領域８２寄り（図１１中、右寄り）には装飾動作ユニット１１２を装着している。
【００３６】
装飾動作ユニット１１２は、図１２に示すように、可動役物ベースパネル１１０に止着される動作ベース１１４と、該動作ベース１１４に回動可能な状態で軸着される短冊状の第１ユニットベース１１５（本発明におけるユニットベースに相当）と、該第１ユニットベース１１５を回動（揺動）させる第１ユニット駆動機構１１６とを備えている。そして、動作ベース１１４のうちベース装飾レンズカバー１１１側に位置する端部（図１２中、左端部）には第１ユニット回動軸受１１８を遊技盤５の表裏方向に沿って貫通し、第１ユニットベース１１５の一端部（詳しくは球流下領域８２側に位置する軸着端部（図１２中、右端部）の裏面側からは第１ユニット回動軸１１９を遊技盤５の表裏方向に沿って延設し、第１ユニット回動軸１１９を第１ユニット回動軸受１１８へ挿通して第１ユニットベース１１５を動作ベース１１４へ軸着している。そして、第１ユニットベース１１５のうち第１ユニット回動軸１１９から外れた箇所と、動作ベース１１４のうち第１ユニット回動軸受１１８から外れた箇所とを第１ユニット駆動機構１１６で接続している。
【００３７】
第１ユニットベース１１５は、第１フロントベース１１５ａと第１リアベース１１５ｂとを前後に重合して形成されており、作動により装飾効果を発揮する複数（本実施形態では３つ）の第１装飾本体部１２１（本発明における回動装飾部に相当）と、該第１装飾本体部１２１に装飾動作を実行させる第１本体駆動機構１２２を搭載し、第１装飾本体部１２１を第１ユニットベース１１５の長手方向に沿って並べて配置している。第１装飾本体部１２１は、図１１に示すように、第１フロントベース１１５ａの前面に配置される円板状の第１装飾本体基部１２１ａを備え、該第１装飾本体基部１２１ａの前面に花の形状を模した第１本体装飾具１２１ｂ（図１０参照）を複数止着して構成されている。
【００３８】
第１本体駆動機構１２２は、図１２および図１３に示すように、回動力を出力する単一の第１本体駆動モータ１２６と、該第１本体駆動モータ１２６に接続される第１回動伝達機構１２７とを備えて構成されている。そして、第１ユニットベース１１５の裏側のうち第１ユニット回動軸１１９から外れた位置に第１本体駆動モータ１２６を装着して出力軸を第１ユニットベース１１５内に挿入し、第１本体駆動モータ１２６の出力軸の先端には第１本体駆動ギア１２９を共回り状態で止着している。また、第１装飾本体部１２１毎に接続される複数の第１回動ギア１３０と、隣り合う第１回動ギア１３０の間に配置された第１回動伝達ギア１３１とを第１ユニットベース１１５の長手方向に沿って並ぶ状態で連結して第１回動伝達機構１２７を構成し、第１回動ギア１３０と第１装飾本体部１２１とを接続軸１３２（詳しくは、第１フロントベース１１５ａを遊技盤５の表裏方向へ貫通する接続軸１３２）で接続して共回り可能とし、第１ユニットベース１１５内で最も第１ユニット回動軸１１９寄りに位置する第１回動ギア１３０を第１本体駆動ギア１２９へ噛合している。そして、第１本体駆動モータ１２６を駆動して回動力を出力すると、この回動力が第１回動伝達機構１２７により各第１装飾本体部１２１へ伝達され、全ての第１装飾本体部１２１が同じ方向に回動して装飾動作を実行するように構成されている（図１４参照）。
【００３９】
第１ユニット駆動機構１１６は、図１２に示すように、第１ユニット駆動モータ１３６と複数のギア（第１ユニット駆動ギア１３７、第１ユニット係合ギア１３８、第１ユニット伝達ギア１３９）とで構成されている。詳しくは、動作ベース１１４のうち球流下領域８２側に位置する端部（図１２中、右端部）には、第１ユニット駆動モータ１３６を出力軸が当該第１ユニット駆動モータ１３６の後部から遊技盤５の表裏方向に沿って延在する姿勢で備え、第１ユニット駆動モータ１３６の出力軸には第１ユニット駆動ギア１３７を共回り状態で止着している。また、第１ユニット駆動ギア１３７と第１ユニット回動軸受１１８との間には、第１ユニットベース１１５に係合する第１ユニット係合ギア１３８を配置し、該第１ユニット係合ギア１３８と第１ユニット駆動ギア１３７とを第１ユニット伝達ギア１３９で連結して、第１ユニット駆動ギア１３７の回動力が第１ユニット伝達ギア１３９により伝達されて第１ユニット係合ギア１３８を回動するように構成されている。さらに、第１ユニット係合ギア１３８の前面のうちギア回転中心から外れた位置からは第１ユニットカムフォロワ１４０を突設し、第１ユニットベース１１５から第１ユニット駆動モータ１３６側へ延在する第１ユニットカム溝１４１内に第１ユニットカムフォロワ１４０を係合している（図１１参照）。そして、第１ユニット係合ギア１３８の後面のうちギア回転中心から外れた位置には第１ユニット位置検出片１４２を突設し、動作ベース１１４のうち第１ユニット係合ギア１３８の上方には、第１ユニット位置検出片１４２を検出可能な第１ユニット位置検出センサ１４３を備えている。なお、動作ベース１１４の前面および後面にはギアホルダー１４４を止着して各ギア１３７，１３８，１３９の動作ベース１１４からの脱落を阻止し、動作ベース１１４の前方には第１駆動機構カバー１４５を装着して第１ユニット駆動機構１１６を被覆している（図１１参照）。
【００４０】
このような構成を備えた装飾動作ユニット１１２においては、第１ユニット駆動機構１１６（第１ユニット駆動モータ１３６）を駆動して第１ユニットカムフォロワ１４０を回動し、第１ユニットベース１１５に第１装飾本体部１２１の装飾動作（回動）とは異なる動作、詳しくは表示部３１ａの前方で識別情報の変動方向に沿って上下移動する第１ユニット動作を実行させる。具体的に説明すると、第１ユニットカムフォロワ１４０が回動して上昇すると、第１ユニットカムフォロワ１４０が第１ユニットカム溝１４１を上方へ押圧し、この上向きの押圧力により第１ユニットベース１１５が第１装飾本体部１２１および第１本体駆動機構１２２とともに第１ユニット回動軸１１９を中心に回動して第１ユニットベース１１５の他端部（第１ユニット回動軸１１９を挟んで第１ユニットカム溝１４１とは反対側に位置する移動端部）が下降し、表示開口部５６の上縁部から表示部３１ａの前方へ移動する（図１４参照）。そして、第１ユニットカムフォロワ１４０が上死点へ到達すると、図１５に示すように、第１ユニットベース１１５が下方のステージ部６０へ向けて下り傾斜し、且つ第１ユニットベース１１５の移動端部が表示部３１ａの左右方向の中央部分の前方に位置する状態（下降状態）に変換する。
【００４１】
一方、第１ユニットカムフォロワ１４０が回動して下降すると、第１ユニットカムフォロワ１４０が第１ユニットカム溝１４１を下方へ押圧し、この下向きの押圧力により、第１ユニットベース１１５が第１装飾本体部１２１および第１本体駆動機構１２２とともに第１ユニット回動軸１１９を中心に回動して第１ユニットベース１１５の移動端部が上昇し、表示部３１ａの前方から表示開口部５６の上縁部へ向けて移動する。そして、第１ユニットカムフォロワ１４０が下死点へ到達すると、図２に示すように、第１ユニットベース１１５が表示部３１ａから上方へ外れて表示開口部５６の上縁部に沿って横向き姿勢となる状態（上昇状態）に変換する。このとき、第１ユニット位置検出片１４２が第１ユニット位置検出センサ１４３に検出され、この検出により第１ユニットベース１１５が上昇状態に変換したことを検知可能となる。
【００４２】
第２可動役物ユニット１０２は、図１６〜図１８に示すように、ユニット取付枠９７に止着される第２ユニットベース１５０に、作動により装飾効果を発揮する複数（本実施形態では３つ）の第２装飾本体部１５１（本発明における装飾本体部に相当）と、該第２装飾本体部１５１に装飾動作を実行させる第２本体駆動機構１５２とを搭載して構成されており、第２ユニットベース１５０の前面に第２装飾本体部１５１を第２ユニットベース１５０の長手方向に沿って並べて配置して、第２装飾本体部１５１を遊技盤５の前方から装飾パネル７８の装飾視認窓部８９を通して視認可能としている。また、最も下側に位置する第２装飾本体部１５１を他の第２装飾本体部１５１よりも前方の装飾パネル７８側へ寄せた位置に配置している（図１８（ｂ）参照）。
【００４３】
第２ユニットベース１５０は、前側に位置する第２フロントベース１５０ａと後側に位置する第２リアベース１５０ｂとを前後に重合して縦長に形成されており、第２フロントベース１５０ａの側方（図１６中、右側方）および下方には、透光性を有する第２装飾レンズカバー１５４を止着している。また、第２フロントベース１５０ａおよび第２リアベース１５０ｂを透光性部材で形成し、第２フロントベース１５０ａと第２リアベース１５０ｂとの間には、ＬＥＤ等の発光体が実装された第２ベース発光基板１５５を配置し、発光体からの光が第２フロントベース１５０ａおよび第２装飾レンズカバー１５４を通って第２可動役物ユニット１０２の前方（言い換えると装飾パネル７８側）へ照射されるように構成されている。
【００４４】
第２装飾本体部１５１は、図１７に示すように、第２フロントベース１５０ａの前面に配置される円板状の第２装飾本体基部１５１ａを備え、該第２装飾本体基部１５１ａの前面に花の形状を模した第２本体装飾具１５１ｂ（図１６参照）を複数止着して構成されている。
【００４５】
第２本体駆動機構１５２は、図１７および図１８に示すように、回動力を出力する単一の第２本体駆動モータ１５７と、該第２本体駆動モータ１５７に接続される第２回動伝達機構１５８とを備えて構成されている。そして、第２ユニットベース１５０の下部の裏側に第２本体駆動モータ１５７を装着して出力軸を第２ユニットベース１５０内に挿入し、第２本体駆動モータ１５７の出力軸の先端には第２本体駆動ギア１５９を共回り状態で止着している。また、第２装飾本体部１５１毎に接続される複数の第２回動ギア１６１と、隣り合う第２回動ギア１６１の間に配置された第２回動伝達ギア１６２とを第２ユニットベース１５０の長手方向に沿って並ぶ状態で連結して第２回動伝達機構１５８を構成し、第２回動ギア１６１と第２装飾本体部１５１とを接続軸１６３（詳しくは、第２フロントベース１５０ａを遊技盤５の表裏方向へ貫通する接続軸１６３）で接続して共回り可能とし、第２ユニットベース１５０内で最も下側に位置する第２回動ギア１６１を第２本体駆動ギア１５９へ噛合している。
【００４６】
さらに、第２ユニットベース１５０の下部に配置された第２回動ギア１６１（下側回動ギア１６１ｂ）を第２ユニットベース１５０の上下方向の中央部に配置された第２回動ギア１６１（中央回動ギア１６１ｃ）および第２ユニットベース１５０の上部に配置された第２回動ギア１６１（上側回動ギア１６１ｔ）よりも前方の装飾パネル７８側へ寄せて配置している。また、第２ユニットベース１５０の下寄りの位置で隣り合う下側回動ギア１６１ｂおよび中央回動ギア１６１ｃとの間には、連結回動軸１６５ａの両端に連結ギア１６５ｂが共回り状態でそれぞれ設けられた連結ギアユニット１６５を備え、該連結ギアユニット１６５の連結回動軸１６５ａを第２本体駆動モータ１５７の出力軸および接続軸１６３と平行な姿勢で延在させて２つの連結ギア１６５ｂを遊技盤５の表裏方向にずらして位置させている。そして、連結ギアユニット１６５の前側に位置する連結ギア１６５ｂを下側回動ギア１６１ｂ（隣り合う第２回動ギア１６１の一方）に噛合して連結し、後側に位置する連結ギア１６５ｂを第２回動伝達ギア１６２（詳しくは中央回動ギア１６１ｃの下方に位置する第２回動伝達ギア１６２）に噛合して中央回動ギア１６１ｃ（隣り合う第２回動ギア１６１の他方）へ連結している。このような構成の第２回動伝達機構１５８を備え、第２本体駆動モータ１５７を駆動して回動力を出力すると、この回動力が第２回動伝達機構１５８により各第２装飾本体部１５１へ伝達され、全ての第２装飾本体部１５１が同じ方向に回動して装飾動作を実行するように構成されている。
【００４７】
次に、昇降役物ユニット９６について説明する。
昇降役物ユニット９６は、図１９に示すように、アゲハ蝶の羽根を模した装飾ユニットであり、互いに左右対称となる２つの昇降装飾ユニット（第１昇降装飾ユニット１７１，第２昇降装飾ユニット１７２）と、これらの昇降装飾ユニット１７１，１７２を連動して昇降動作を行わせる昇降駆動機構１７３とを備えて構成されている。具体的には、第１昇降装飾ユニット１７１と第２昇降装飾ユニット１７２とをユニット取付枠９７の下辺部の前方に位置させ、第１昇降装飾ユニット（右側昇降装飾ユニット）１７１を変動表示装置３１の一側寄り（図１９中、右寄り）に配置し、第２昇降装飾ユニット（左側昇降装飾ユニット）１７２を変動表示装置３１の他側寄り（図１９中、左寄り）に配置している。また、図２０に示すように、第１昇降装飾ユニット１７１と第２昇降装飾ユニット１７２とを昇降駆動機構１７３で連結し、該昇降駆動機構１７３のうち第１昇降装飾ユニット１７１と第２昇降装飾ユニット１７２との間に位置する部分を駆動機構カバー１７４（図１９参照）で前方から被覆している。
【００４８】
第１昇降装飾ユニット１７１は、図２１に示すように、昇降可能な複数（本実施形態では３つ）の第１昇降役物本体部１７６（本発明における昇降役物本体部の一種）と、第１昇降役物本体部１７６を発光装飾するＬＥＤ等の第１昇降発光体１７７とを具備し、第１昇降役物本体部１７６を昇降させて装飾効果を発揮するように構成されている。具体的に説明すると、第１昇降装飾ユニット１７１の後部には、遊技盤５の正面から見て逆Ｌ字状を呈する第１昇降ユニットアーム１７８を備え、該第１昇降ユニットアーム１７８のうち縦長な側辺部の上端箇所をユニット取付枠９７のうち球流下領域８２側に位置する側辺部（図２１中、右側の側辺部）に回動自在な状態で軸着している。さらに、第１昇降ユニットアーム１７８の屈曲部の後面から第１昇降ガイドピン１７９（図２０（ｂ）参照）を後方のユニット取付枠９７へ向けて突設し、ユニット取付枠９７の下辺部に設けられた円弧状の第１昇降ガイド溝１８０に第１昇降ガイドピン１７９を遊嵌し、第１昇降ガイドピン１７９を第１昇降ガイド溝１８０に沿って移動させて第１昇降ユニットアーム１７８を上下方向へ揺動可能（回動可能）としている。
【００４９】
また、各第１昇降役物本体部１７６（第１アーム側役物本体部１７６Ｒ，第１ステージ側役物本体部１７６Ｆ，第１中間役物本体部１７６Ｃ）を、蝶の羽の形状を模したパネル部材で構成して変動表示装置３１の表示部３１ａの表面に沿って延在する姿勢、且つ羽の付け根部分を模した端部が変動表示装置３１の左右方向の中央側（言い換えると第２昇降装飾ユニット１７２寄り）に位置する姿勢に設定し、第１昇降役物本体部１７６毎に第１昇降発光体１７７をそれぞれ実装している。詳しくは、第１昇降役物本体部１７６の裏面（変動表示装置３１側を向いた面）を凹ませ、ステージ部６０側を向いた前面に第１昇降発光体１７７が実装された第１昇降発光基板１８１を第１昇降役物本体部１７６の裏面の凹みに収納している（図２２参照）。そして、第１昇降役物本体部１７６のうち第１昇降発光体１７７を被覆する箇所を透光性部材で形成して透光窓部１８２とし、第１昇降発光体１７７からの光を透光窓部１８２へ通して第１昇降装飾ユニット１７１の前方へ照射可能としている。なお、第１アーム側役物本体部１７６Ｒにおいては、裏面の凹みを後方から第１昇降カバーパネル１８３で閉成している。
【００５０】
さらに、第１アーム側役物本体部１７６Ｒを第１昇降ユニットアーム１７８の下辺部へ前方から止着して第１昇降カバーパネル１８３の裏面を第１昇降ユニットアーム１７８の前面へ当接し、第１アーム側役物本体部１７６Ｒよりも前方のステージ部６０側には第１ステージ側役物本体部１７６Ｆを配置し、遊技盤５の表裏方向に離間した第１ステージ側役物本体部１７６Ｆと第１アーム側役物本体部１７６Ｒとの間には第１中間役物本体部１７６Ｃを配置している。また、第１ステージ側役物本体部１７６Ｆのうち第２昇降装飾ユニット１７２側に位置する端部には、遊技盤５の表裏方向に沿って延在する第１昇降回動軸１８６の前端部を嵌合して第１ステージ側役物本体部１７６Ｆと共回り可能とし、該第１昇降回動軸１８６の後部を、第１中間役物本体部１７６Ｃのうち第２昇降装飾ユニット１７２側に位置する端部と、第１アーム側役物本体部１７６Ｒおよび第１昇降ユニットアーム１７８のうち第２昇降装飾ユニット１７２側に位置する端部へ回動可能な状態で挿通し、第１ステージ側役物本体部１７６Ｆと第１中間役物本体部１７６Ｃとが第１昇降ユニットアーム１７８に対して第１昇降回動軸１８６を中心に上下方向へ回動できるように構成されている。
【００５１】
そして、図２３に示すように、第１ステージ側役物本体部１７６Ｆの裏面（第１中間役物本体部１７６Ｃ側を向いた裏面）に止着された第１ステージ側役物係合部材１８７には、第１昇降回動軸１８６を中心とする縦長円弧状の第１ステージ側役物係合溝１８７ａを第１昇降回動軸１８６から球流下領域８２側（図２３（ｂ）中、右側）に外れた位置に形成し、第１中間役物本体部１７６Ｃの前面のうち第１昇降回動軸１８６から外れた位置から突設された第１中間役物係合突起１８８を第１ステージ側役物係合溝１８７ａへ係合している。また、第１中間役物本体部１７６Ｃの裏面（第１アーム側役物本体部１７６Ｒ側を向いた裏面）に止着された第１中間役物係合部材１８９には、第１昇降回動軸１８６を中心とする縦長円弧状の第１中間役物係合溝１８９ａを第１昇降回動軸１８６から球流下領域８２側（図２３（ａ）中、右側）に外れた位置に設け、第１アーム側役物本体部１７６Ｒの前面のうち第１昇降回動軸１８６から外れた位置から突設された第１アーム側役物係合突起１９０を第１中間役物係合溝１８９ａへ係合している。
【００５２】
このような係合構造を備えた第１昇降装飾ユニット１７１においては、第１中間役物係合突起１８８が第１ステージ側役物係合溝１８７ａの上端に係合し、且つ第１アーム側役物係合突起１９０が第１中間役物係合溝１８９ａの上端に係合すると、各第１昇降役物本体部１７６が遊技盤５の表裏方向に重合した状態（第１装飾重合状態）に設定されるとともに、第１ステージ側役物本体部１７６Ｆおよび第１中間役物本体部１７６Ｃが第１装飾重合状態から下方へずれることを阻止される（図１９および図２４参照）。一方、第１装飾重合状態から第１ステージ側役物本体部１７６Ｆおよび第１中間役物本体部１７６Ｃを上方へ回動して第１中間役物係合突起１８８が第１ステージ側役物係合溝１８７ａの下端に係合し、且つ第１アーム側役物係合突起１９０が第１中間役物係合溝１８９ａの下端に係合すると、各第１昇降役物本体部１７６が上下方向にずれて広がった状態（第１装飾展開状態）に設定される。詳しくは、遊技盤５の正面から見て第１昇降回動軸１８６を中心とした時計方向に沿って第１ステージ側役物本体部１７６Ｆ、第１中間役物本体部１７６Ｃ、第１アーム側役物本体部１７６Ｒの順に下方へずれて配置される（図２５参照）。なお、第１昇降装飾ユニット１７１の状態変換時における各第１昇降役物本体部１７６の挙動については、後で詳細に説明する。
【００５３】
第２昇降装飾ユニット１７２は、図２１に示すように、昇降可能な複数（本実施形態では３つ）の第２昇降役物本体部１９６（本発明における昇降役物本体部の一種）と、第２昇降役物本体部１９６を発光装飾するＬＥＤ等の第２昇降発光体１９７とを具備し、第２昇降役物本体部１９６を昇降させて装飾効果を発揮するように構成されている。具体的に説明すると、第２昇降装飾ユニット１７２の後部には、遊技盤５の正面から見てＬ字状を呈する第２昇降ユニットアーム１９８を備え、該第２昇降ユニットアーム１９８のうち縦長な側辺部の上端箇所をユニット取付枠９７のうち球導入路６４側に位置する側辺部（図２１中、左側の側辺部）に回動自在な状態で軸着している。さらに、第２昇降ユニットアーム１９８の屈曲部の後面から第２昇降ガイドピン１９９（図２０（ｂ）参照）を後方のユニット取付枠９７へ向けて突設し、ユニット取付枠９７の下辺部に設けられた円弧状の第２昇降ガイド溝２００に第２昇降ガイドピン１９９を遊嵌し、第２昇降ガイドピン１９９を第２昇降ガイド溝２００に沿って移動させて第２昇降ユニットアーム１９８を上下方向へ揺動可能（回動可能）としている。
【００５４】
また、各第２昇降役物本体部１９６（第２アーム側役物本体部１９６Ｒ，第２ステージ側役物本体部１９６Ｆ，第２中間役物本体部１９６Ｃ）を、蝶の羽の形状を模したパネル部材で構成して変動表示装置３１の表示部３１ａの表面に沿って延在する姿勢、且つ羽の付け根部分を模した端部が変動表示装置３１の左右方向の中央側（言い換えると第１昇降装飾ユニット１７１寄り）に位置する姿勢に設定し、第２昇降役物本体部１９６毎に第２昇降発光体１９７をそれぞれ実装している。詳しくは、第２昇降役物本体部１９６の裏面（変動表示装置３１側を向いた面）を凹ませ、ステージ部６０側を向いた前面に第２昇降発光体１９７が実装された第２昇降発光基板２０１を第２昇降役物本体部１９６の裏面の凹みに収納している。そして、第２昇降役物本体部１９６のうち第２昇降発光体１９７を被覆する箇所を透光性部材で形成して透光窓部２０２とし、第２昇降発光体１９７からの光を透光窓部２０２へ通して第２昇降装飾ユニット１７２の前方へ照射可能としている。なお、第２アーム側役物本体部１９６Ｒにおいては、裏面の凹みを後方から第２昇降カバーパネル２０３で閉塞している。
【００５５】
さらに、第２アーム側役物本体部１９６Ｒを第２昇降ユニットアーム１９８の下辺部へ前方から止着して第２昇降カバーパネル２０３の裏面を第２昇降ユニットアーム１９８の前面へ当接し、第２アーム側役物本体部１９６Ｒよりも前方のステージ部６０側には第２ステージ側役物本体部１９６Ｆを配置し、遊技盤５の表裏方向に離間した第２ステージ側役物本体部１９６Ｆと第２アーム側役物本体部１９６Ｒとの間には第２中間役物本体部１９６Ｃを配置している。また、第２ステージ側役物本体部１９６Ｆのうち第１昇降装飾ユニット１７１側に位置する端部には、遊技盤５の表裏方向に沿って延在する第２昇降回動軸２０６（図２０（ｂ）参照）の前端部を嵌合して第２ステージ側役物本体部１９６Ｆと共回り可能とし、該第２昇降回動軸２０６の後部を、第２中間役物本体部１９６Ｃのうち第１昇降装飾ユニット１７１側に位置する端部と、第２アーム側役物本体部１９６Ｒおよび第２昇降ユニットアーム１９８のうち第１昇降装飾ユニット１７１側に位置する端部へ回動可能な状態で挿通し、第２ステージ側役物本体部１９６Ｆと第２中間役物本体部１９６Ｃとが第２昇降ユニットアーム１９８に対して第２昇降回動軸２０６を中心に上下方向へ回動できるように構成されている。
【００５６】
そして、第２ステージ側役物本体部１９６Ｆの裏面（第２中間役物本体部１９６Ｃ側を向いた裏面）に止着された第２ステージ側役物係合部材２０７には、第２昇降回動軸２０６を中心とする縦長円弧状の第２ステージ側役物係合溝２０７ａを第２昇降回動軸２０６から球導入路６４側に外れた位置に形成し、第２中間役物本体部１９６Ｃの前面のうち第２昇降回動軸２０６から外れた位置から突設された第２中間役物係合突起２０８を第２ステージ側役物係合溝２０７ａへ係合している。また、第２中間役物本体部１９６Ｃの裏面（第２アーム側役物本体部１９６Ｒ側を向いた裏面）に止着された第２中間役物係合部材２０９には、第２昇降回動軸２０６を中心とする縦長円弧状の第２中間役物係合溝２０９ａを第２昇降回動軸２０６から球導入路６４側に外れた位置に設け、第２アーム側役物本体部１９６Ｒの前面のうち第２昇降回動軸２０６から外れた位置から突設された第２アーム側役物係合突起２１０を第２中間役物係合溝２０９ａへ係合している。
【００５７】
このような係合構造を備えた第２昇降装飾ユニット１７２においては、第２中間役物係合突起２０８が第２ステージ側役物係合溝２０７ａの上端に係合し、且つ第２アーム側役物係合突起２１０が第２中間役物係合溝２０９ａの上端に係合すると、各第２昇降役物本体部１９６が遊技盤５の表裏方向に重合した状態（第２装飾重合状態）に設定されるとともに、第２ステージ側役物本体部１９６Ｆおよび第２中間役物本体部１９６Ｃが第２装飾重合状態から下方へずれることを阻止される（図１９参照および図２４参照）。一方、第２装飾重合状態から第２ステージ側役物本体部１９６Ｆおよび第２中間役物本体部１９６Ｃを上方へ回動して第２中間役物係合突起２０８が第２ステージ側役物係合溝２０７ａの下端に係合し、且つ第２アーム側役物係合突起２１０が第２中間役物係合溝２０９ａの下端に係合すると、各第２昇降役物本体部１９６が上下方向にずれて広がった状態（第２装飾展開状態）に設定される。詳しくは、遊技盤５の正面から見て第２昇降回動軸２０６を中心とした反時計方向に沿って第２ステージ側役物本体部１９６Ｆ、第２中間役物本体部１９６Ｃ、第２アーム側役物本体部１９６Ｒの順に下方へずれて配置される（図２５参照）。なお、第２昇降装飾ユニット１７２の状態変換時における各第２昇降役物本体部１９６の挙動については、後で詳細に説明する。
【００５８】
昇降駆動機構１７３は、図２６に示すように、第１昇降ユニットアーム１７８および第２昇降ユニットアーム１９８を回動させるアーム回動機構２１５と、第１昇降装飾ユニット１７１の第１昇降回動軸１８６を回動させる第１軸回動機構２１６と、第２昇降装飾ユニット１７２の第２昇降回動軸２０６を回動させる第２軸回動機構２１７とを備えて構成されている。
【００５９】
アーム回動機構２１５は、第１昇降ユニットアーム１７８寄りに配置される第１アーム回動ギア２２１と、第２昇降ユニットアーム１９８寄りに配置される第２アーム回動ギア２２２とを各回動軸方向が遊技盤５の表裏方向に平行となる姿勢で横に並べて噛合し、第２アーム回動ギア２２２の下方には昇降駆動モータ２２３を配置し、該昇降駆動モータ２２３の出力軸に共回り状態で止着された昇降駆動ギア２２４を第２アーム回動ギア２２２に噛合している（図２０（ｂ）参照）。また、第１アーム回動ギア２２１の前面のうち回動軸から外れた位置からは第１アーム回動カムフォロア２２１ａを突設し、第２アーム回動ギア２２２の前面のうち回動軸から外れた位置からは第２アーム回動カムフォロア２２２ａを突設し、噛合状態の第１アーム回動ギア２２１と第２アーム回動ギア２２２とを回動すると、第１アーム回動カムフォロア２２１ａと第２アーム回動カムフォロア２２２ａとが遊技盤５の正面から見て常時左右対称となる状態で連動するように構成されている。
【００６０】
さらに、第１アーム回動ギア２２１よりも前方には、第１アーム回動ギア２２１側から第１昇降ユニットアーム１７８側へ向けて延在する長尺な第１アーム回動ロッド２２６を備え、当該第１アーム回動ロッド２２６の長手方向の中央部分をユニット取付枠９７に軸着して第１アーム回動ロッド２２６を回動可能としている。そして、第１アーム回動ロッド２２６のうち第１アーム回動ギア２２１側に位置する一端部には、第１アーム回動ロッド２２６の長手方向に沿って延在する第１アーム回動カム溝２２６ａを形成して第１アーム回動カムフォロア２２１ａを係合し、第１アーム回動ギア２２１の回動に伴う第１アーム回動カムフォロア２２１ａの移動に伴って第１アーム回動カム溝２２６ａが上下移動するように構成されている。さらに、第１アーム回動ロッド２２６のうち軸着部を挟んで第１アーム回動カム溝２２６ａとは反対側（第１昇降ユニットアーム１７８側）に位置する他端部には第１アーム係合受部２２６ｂを形成し、第１昇降ユニットアーム１７８の下辺部のうち左右方向の中間部分に突設された第１アーム係合部１７８ａに第１アーム係合受部２２６ｂを係合している。
【００６１】
また、第２アーム回動ギア２２２よりも前方には、第２アーム回動ギア２２２側から第２昇降ユニットアーム１９８側へ向けて延在する長尺な第２アーム回動ロッド２２７を備え、当該第２アーム回動ロッド２２７の長手方向の中央部分をユニット取付枠９７に軸着して第２アーム回動ロッド２２７を回動可能としている。そして、第２アーム回動ロッド２２７のうち第２アーム回動ギア２２２側に位置する一端部には、第２アーム回動ロッド２２７の長手方向に沿って延在する第２アーム回動カム溝２２７ａを形成して第２アーム回動カムフォロア２２２ａを係合し、第２アーム回動ギア２２２の回動に伴う第２アーム回動カムフォロア２２２ａの移動に伴って第２アーム回動カム溝２２７ａが上下移動するように構成されている。さらに、第２アーム回動ロッド２２７のうち軸着部を挟んで第２アーム回動カム溝２２７ａとは反対側（第２昇降ユニットアーム１９８側）に位置する他端部には第２アーム係合受部２２７ｂを形成し、第２昇降ユニットアーム１９８の下辺部のうち左右方向の中間部分に突設された第２アーム係合部１９８ａに第２アーム係合受部２２７ｂを係合している。
【００６２】
第１昇降回動軸１８６を回動させる第１軸回動機構２１６は、図２６（ａ）および（ｂ）に示すように、第１昇降回動軸１８６の後端部に第１昇降回動ギア２３１を共回り状態で止着して備え、第１昇降回動軸１８６と第１アーム係合部１７８ａとの間には、第１昇降ユニットアーム１７８の下辺部の長手方向に沿って延在する横長短冊状の第１回動操作アーム２３２を配置し、該第１回動操作アーム２３２の中央部分を第１昇降ユニットアーム１７８に回動自在な状態で軸着している。また、第１回動操作アーム２３２のうち第１昇降回動軸１８６側に位置する一端部には扇状の第１伝達ギア２３３を突設して第１昇降回動ギア２３１へ噛合し、他端部からは第１回動操作カムフォロワ２３４を後方のユニット取付枠９７側へ向けて突設している。そして、第１回動操作アーム２３２を回動して第１回動操作カムフォロワ２３４が上死点に位置した状態では、第１昇降回動ギア２３１が下死点に位置して第１昇降回動ギア２３１および第１昇降回動軸１８６の回動を規制し、第１昇降装飾ユニット１７１を第１装飾重合状態に維持するように構成されている。さらに、ユニット取付枠９７の下辺部のうち第１回動操作アーム２３２の後方に位置する箇所には、第１回動操作カムフォロワ２３４を係合する第１回動操作カム溝２３５を第１昇降ユニットアーム１７８の軸着位置側（図２６（ａ）中、右側）から第１アーム回動ギア２２１側（図２６（ａ）中、左側）へ向けて上り傾斜した直線状態で形成し、第１昇降ユニットアーム１７８の回動中心（軸着部）から第１回動操作カム溝２３５までの離間距離が第１昇降ユニットアーム１７８の上昇方向（遊技盤５の正面から見て時計方向）に沿って次第に広がるように設定されている。
【００６３】
第２昇降回動軸２０６を回動させる第２軸回動機構２１７は、図２６（ａ）に示すように、第２昇降回動軸２０６の後端部に第２昇降回動ギア２４１を共回り状態で止着して備え、第２昇降回動軸２０６と第２アーム係合部１９８ａとの間には、第２昇降ユニットアーム１９８の下辺部の長手方向に沿って延在する短冊状の第２回動操作アーム２４２を配置し、該第２回動操作アーム２４２の中央部分を第２昇降ユニットアーム１９８に回動自在な状態で軸着している。また、第２回動操作アーム２４２のうち第２昇降回動軸２０６側に位置する一端部には扇状の第２伝達ギア２４３を突設して第２昇降回動ギア２４１へ噛合し、他端部からは第２回動操作カムフォロワ２４４を後方のユニット取付枠９７側へ向けて突設している。そして、第２回動操作アーム２４２を回動して第２回動操作カムフォロワ２４４が上死点に位置した状態では、第２昇降回動ギア２４１が下死点に位置して第２昇降回動ギア２４１および第２昇降回動軸２０６の回動を規制し、第２昇降装飾ユニット１７２を第２装飾重合状態に維持するように構成されている。さらに、ユニット取付枠９７の下辺部のうち第２回動操作アーム２４２の後方に位置する箇所には、第２回動操作カムフォロワ２４４を係合する第２回動操作カム溝２４５を第２昇降ユニットアーム１９８の軸着位置側（図２６（ａ）中、左側）から第２アーム回動ギア２２２側（図２６（ａ）中、右側）へ向けて上り傾斜した直線状態で形成し、第２昇降ユニットアーム１９８の回動中心（軸着部）から第２回動操作カム溝２４５までの離間距離が第２昇降ユニットアーム１９８の上昇方向（遊技盤５の正面から見て反時計方向）に沿って次第に広がるように設定されている。
【００６４】
このような構成を備えた昇降役物ユニット９６においては、昇降駆動機構１７３により第１昇降役物本体部１７６および第２昇降役物本体部１９６を昇降動作させて下降状態と上昇状態とに変換する。具体的に説明すると、図２４および図２６に示すように、第１アーム回動カムフォロア２２１ａを第１アーム回動ギア２２１の上部に配置して第１アーム回動カム溝２２６ａを上死点へ位置させるとともに、第２アーム回動カムフォロア２２２ａを第２アーム回動ギア２２２の上部に配置して第２アーム回動カム溝２２７ａを上死点へ位置させると、第１アーム係合受部２２６ｂおよび第２アーム係合受部２２７ｂがそれぞれ下死点へ位置して第１アーム係合部１７８ａおよび第２アーム係合部１９８ａを引き下げ、第１昇降ユニットアーム１７８および第２昇降ユニットアーム１９８が軸着部を中心として下方へ回動して下死点に位置する。
【００６５】
第１昇降ユニットアーム１７８が下死点に位置する状態では、第１軸回動機構２１６の第１回動操作カムフォロワ２３４が上死点に位置した状態で第１回動操作カム溝２３５の傾斜下端に係合し、第１昇降装飾ユニット１７１が第１装飾重合状態に設定される。また、第２昇降ユニットアーム１９８が下死点に位置する状態では、第２軸回動機構２１７の第２回動操作カムフォロワ２４４が上死点に位置した状態で第２回動操作カム溝２４５の傾斜下端に係合し、第２昇降装飾ユニット１７２が第２装飾重合状態に設定される。このようにして昇降役物ユニット９６が下降状態に設定され、この下降状態では各昇降役物本体部１７６，１９６が仕切り壁部７１に後方から重なって位置する。そして、第１ステージ側役物本体部１７６Ｆを発光装飾する第１昇降発光体１７７、および第２ステージ側役物本体部１９６Ｆを発光装飾する第２昇降発光体１９７が発光すれば、この光を第１ステージ側役物本体部１７６Ｆおよび第２ステージ側役物本体部１９６Ｆに形成された透光窓部１８２，２０２および仕切り壁部７１へ通して前方のステージ部６０へ照射することができる。
【００６６】
また、昇降駆動モータ２２３を駆動して第１アーム回動ギア２２１および第２アーム回動ギア２２２を回動することにより、第１アーム回動カムフォロア２２１ａを第１アーム回動ギア２２１の上部から下方へ移動するとともに、第２アーム回動カムフォロア２２２ａを第２アーム回動ギア２２２の上部から下方へ移動すると、第１アーム回動カム溝２２６ａが上死点から下方へ移動して第１アーム回動ロッド２２６が揺動するとともに、第２アーム回動カム溝２２７ａが上死点から下方へ移動して第２アーム回動ロッド２２７が揺動する。そして、第１アーム回動ロッド２２６の揺動により、第１アーム係合受部２２６ｂが下死点から上昇して第１アーム係合部１７８ａを押し上げ、第１昇降ユニットアーム１７８が軸着部を中心として上方へ回動され、第２アーム回動ロッド２２７の揺動により、第２アーム係合受部２２７ｂが下死点から上昇して第２アーム係合部１９８ａを押し上げ、第２昇降ユニットアーム１９８が軸着部を中心として上方へ回動される。
【００６７】
このとき、第１軸回動機構２１６においては、第１回動操作カムフォロワ２３４が第１回動操作カム溝２３５に沿って上昇するが、第１昇降ユニットアーム１７８の回動中心から第１回動操作カム溝２３５までの離間距離が第１昇降ユニットアーム１７８の上昇方向に沿って次第に広がるように設定されているため、第１昇降ユニットアーム１７８が上昇するにしたがって第１回動操作カムフォロワ２３４が第１回動操作カム溝２３５の縁部に押し下げられて、第１昇降ユニットアーム１７８の回動中心から次第に離れる。この結果、第１回動操作アーム２３２が第１伝達ギア２３３を上方へ回動させて、第１昇降回動ギア２３１および第１昇降回動軸１８６とともに第１ステージ側役物本体部１７６Ｆを遊技盤５の正面から見て反時計方向へ回動して第１昇降ユニットアーム１７８、第１アーム側役物本体部１７６Ｒ、第１中間役物本体部１７６Ｃの前方から上方へずれる。さらに、第１ステージ側役物本体部１７６Ｆが上方へ回動して第１ステージ側役物係合溝１８７ａの下端が第１中間役物係合突起１８８に係合すると、第１中間役物本体部１７６Ｃが上方に位置する第１ステージ側役物本体部１７６Ｆと共回りし始め、第１昇降ユニットアーム１７８、第１アーム側役物本体部１７６Ｒの前方から上方へずれる。
【００６８】
また、第２軸回動機構２１７においては、第２回動操作カムフォロワ２４４が第２回動操作カム溝２４５に沿って上昇するが、第２昇降ユニットアーム１９８の回動中心から第２回動操作カム溝２４５までの離間距離が第２昇降ユニットアーム１９８の上昇方向に沿って次第に広がるように設定されているため、第２昇降ユニットアーム１９８が上昇するにしたがって第２回動操作カムフォロワ２４４が第２回動操作カム溝２４５の縁部に押し下げられて、第２昇降ユニットアーム１９８の回動中心から次第に離れる。この結果、第２回動操作アーム２４２が第２伝達ギア２４３を上方へ回動させて、第２昇降回動ギア２４１および第２昇降回動軸２０６とともに第２ステージ側役物本体部１９６Ｆを遊技盤５の正面から見て時計方向へ回動して第２昇降ユニットアーム１９８、第２アーム側役物本体部１９６Ｒ、第２中間役物本体部１９６Ｃの前方から上方へずれる。さらに、第２ステージ側役物本体部１９６Ｆが上方へ回動して第２ステージ側役物係合溝２０７ａの下端が第２中間役物係合突起２０８に係合すると、第２中間役物本体部１９６Ｃが上方に位置する第２ステージ側役物本体部１９６Ｆと共回りし始め、第２昇降ユニットアーム１９８、第２アーム側役物本体部１９６Ｒの前方から上方へずれる。
【００６９】
そして、図２５および図２７に示すように、第１アーム回動カムフォロア２２１ａを第１アーム回動ギア２２１の下部に配置して第１アーム回動カム溝２２６ａを下死点へ位置させるとともに、第２アーム回動カムフォロア２２２ａを第２アーム回動ギア２２２の下部に配置して第２アーム回動カム溝２２７ａを下死点へ位置させると、第１アーム係合受部２２６ｂおよび第２アーム係合受部２２７ｂがそれぞれ上死点へ位置し、第１アーム係合受部２２６ｂにより押し上げられた第１昇降ユニットアーム１７８、および第２アーム係合受部２２７ｂにより押し上げられた第２昇降ユニットアーム１９８がそれぞれ上死点に位置する。
【００７０】
第１昇降ユニットアーム１７８が上死点に位置する状態では、第１軸回動機構２１６の第１回動操作カムフォロワ２３４が第１回動操作カム溝２３５の傾斜上端に係合して当該第１回動操作カムフォロワ２３４の下死点（第１昇降ユニットアーム１７８に対する下死点）まで押し下げられ、この押し下げ力が第１回動操作アーム２３２の第１伝達ギア２３３から第１昇降回動ギア２３１へ伝達されて第１昇降回動軸１８６を遊技盤５の正面から見て反時計方向へ十分に回動し、第１昇降装飾ユニット１７１を第１装飾展開状態へ変換する。また、第２昇降ユニットアーム１９８が上死点に位置する状態では、第２軸回動機構２１７の第２回動操作カムフォロワ２４４が第２回動操作カム溝２４５の傾斜上端に係合して当該第２回動操作カムフォロワ２４４の下死点（第２昇降ユニットアーム１９８に対する下死点）まで押し下げられ、この押し下げ力が第２回動操作アーム２４２の第２伝達ギア２４３から第２昇降回動ギア２４１へ伝達されて第２昇降回動軸２０６を遊技盤５の正面から見て時計方向へ十分に回動し、第２昇降装飾ユニット１７２を第２装飾展開状態へ変換する。このようにして昇降役物ユニット９６が上昇状態に変換し、この上昇状態では、第１昇降役物本体部１７６が第１装飾展開状態で仕切り壁部７１とは上方にずれて表示部３１ａの前方に位置するとともに、第２昇降役物本体部１９６が第２装飾展開状態で仕切り壁部７１とは上方にずれて表示部３１ａの前方に位置する。そして、第１装飾展開状態の第１昇降装飾ユニット１７１（第１昇降役物本体部１７６）と、第２装飾展開状態の第２昇降装飾ユニット１７２（第２昇降役物本体部１９６）との間を離間して表示視認空間部２４８を形成し、変動表示装置３１の表示部３１ａにおける演出表示をセンターケースユニット５１の前方から表示視認空間部２４８を通して視認できるように設定される。
【００７１】
さらに、昇降駆動モータ２２３を駆動して第１アーム回動ギア２２１および第２アーム回動ギア２２２を回動することにより、第１アーム回動カムフォロア２２１ａを第１アーム回動ギア２２１の下部から上方へ移動するとともに、第２アーム回動カムフォロア２２２ａを第２アーム回動ギア２２２の下部から上方へ移動すると、第１アーム回動カム溝２２６ａが下死点から上方へ移動して第１アーム回動ロッド２２６が揺動するとともに、第２アーム回動カム溝２２７ａが下死点から上方へ移動して第２アーム回動ロッド２２７が揺動する。そして、第１アーム回動ロッド２２６の揺動により、第１アーム係合受部２２６ｂが上死点から下降して第１アーム係合部１７８ａを引き下げ、第１昇降ユニットアーム１７８が軸着部を中心として下方へ回動され、第２アーム回動ロッド２２７の揺動により、第２アーム係合受部２２７ｂが上死点から下降して第２アーム係合部１９８ａを引き下げ、第２昇降ユニットアーム１９８が軸着部を中心として下方へ回動される。
【００７２】
このとき、第１軸回動機構２１６においては、第１回動操作カムフォロワ２３４が第１回動操作カム溝２３５に沿って下降するが、第１昇降ユニットアーム１７８の回動中心から第１回動操作カム溝２３５までの離間距離が第１昇降ユニットアーム１７８の上昇方向に沿って次第に広がるように設定されているため、第１昇降ユニットアーム１７８が下降するにしたがって第１回動操作カムフォロワ２３４が第１昇降ユニットアーム１７８に対して上昇すること、さらには第１伝達ギア２３３が第１昇降回動軸１８６から受ける回動力により回動されて下方へ移動することを許容する。すると、第１ステージ側役物本体部１７６Ｆが自重によって回動し、第１中間役物係合突起１８８を第１ステージ側役物係合溝１８７ａの下端へ係合していた第１中間役物本体部１７６Ｃと共回りして下降する。そして、第１中間役物本体部１７６Ｃが第１アーム側役物本体部１７６Ｒの前方に重合すると、第１中間役物係合溝１８９ａの上端部が第１アーム側役物係合突起１９０に係合して第１中間役物本体部１７６Ｃの下降が停止し、下降し続ける第１ステージ側役物本体部１７６Ｆの第１ステージ側役物係合溝１８７ａの下端部が第１中間役物係合突起１８８から下方へ外れる。さらに、第１ステージ側役物本体部１７６Ｆが下降し続けて第１中間役物本体部１７６Ｃの前方に重合すると、第１ステージ側役物係合溝１８７ａの上端部が第１中間役物係合突起１８８に係合して第１ステージ側役物本体部１７６Ｆの下降が停止する。
【００７３】
また、第２軸回動機構２１７においては、第２回動操作カムフォロワ２４４が第２回動操作カム溝２４５に沿って下降するが、第２昇降ユニットアーム１９８の回動中心から第２回動操作カム溝２４５までの離間距離が第２昇降ユニットアーム１９８の上昇方向に沿って次第に広がるように設定されているため、第２昇降ユニットアーム１９８が下降するにしたがって第２回動操作カムフォロワ２４４が第２昇降ユニットアーム１９８に対して上昇すること、さらには第２伝達ギア２４３が第２昇降回動軸２０６から受ける回動力により回動されて下方へ移動することを許容する。すると、第２ステージ側役物本体部１９６Ｆが自重によって回動し、第２中間役物係合突起２０８を第２ステージ側役物係合溝２０７ａの下端へ係合していた第２中間役物本体部１９６Ｃと共回りして下降する。そして、第２中間役物本体部１９６Ｃが第２アーム側役物本体部１９６Ｒの前方に重合すると、第２中間役物係合溝２０９ａの上端部が第２アーム側役物係合突起２１０に係合して第２中間役物本体部１９６Ｃの下降が停止し、下降し続ける第２ステージ側役物本体部１９６Ｆの第２ステージ側役物係合溝２０７ａの下端部が第２中間役物係合突起２０８から下方へ外れる。さらに、第２ステージ側役物本体部１９６Ｆが下降し続けて第２中間役物本体部１９６Ｃの前方に重合すると、第２ステージ側役物係合溝２０７ａの上端部が第２中間役物係合突起２０８に係合して第２ステージ側役物本体部１９６Ｆの下降が停止する。このようにして第１昇降装飾ユニット１７１が第１装飾重合状態に変換するとともに、第２昇降装飾ユニット１７２が第２装飾重合状態に変換して、昇降役物ユニット９６が下降状態に変換する。
【００７４】
なお、図２６（ａ）および図２７に示すように、第１アーム回動ロッド２２６の下部のうち軸着部よりも第１アーム係合受部２２６ｂ寄りの位置には昇降状態検出片２５０を下方へ向けて突設し、ユニット取付枠９７のうち第１アーム回動ロッド２２６の下方には、昇降状態検出片２５０を検出可能な昇降状態検出センサ２５１を備えている。そして、昇降役物ユニット９６が下降状態に変換すると、昇降状態検出センサ２５１が昇降状態検出片２５０を検出し、昇降状態検出センサ２５１から出力される検出信号により昇降役物ユニット９６が下降状態に変換したことを検知できるように構成されている。
【００７５】
そして、第１昇降装飾ユニット１７１は、図２８〜図３０に示すように、第１昇降役物本体部１７６毎に収納された第１昇降発光基板１８１同士（言い換えると第１昇降役物本体部１７６毎に収納された第１昇降発光体１７７同士）を電気的に接続する第１光源接続配線２５３を２本備え、一方の第１光源接続配線２５３を第１アーム側役物本体部１７６Ｒの上縁部から第１中間役物本体部１７６Ｃの下縁部へ向けて延設し、他方の第１光源接続配線２５３を第１アーム側役物本体部１７６Ｒの上縁部から第１ステージ側役物本体部１７６Ｆの下縁部へ向けて延設している。さらに、第１ステージ側役物本体部１７６Ｆの上縁部には、後方に位置する他の第１昇降役物本体部１７６（第１中間役物本体部１７６Ｃ、第１アーム側役物本体部１７６Ｒ）側へ向けて延在する第１配線カバー２５４を備え、該第１配線カバー２５４により他の第１昇降役物本体部１７６の上縁部および第１アーム側役物本体部１７６Ｒの上縁部から引き出された第１光源接続配線２５３を上方から被覆可能としている。したがって、昇降役物ユニット９６を上昇状態に変換して第１昇降装飾ユニット１７１を第１装飾展開状態に設定すると、図３０に示すように、第１光源接続配線２５３が最も下方に位置する第１アーム側役物本体部１７６Ｒから他の第１昇降役物本体部１７６へ向けて延設され、第１配線カバー２５４が最も上方に位置する第１ステージ側役物本体部１７６Ｆの上縁部から延設される。また、図３１に示すように、第１昇降ユニットアーム１７８の側辺部内には、各第１昇降発光基板１８１に電力や信号を供給する第１供給配線２５５を通し、２本の第１光源接続配線２５３が接続された第１アーム側役物本体部１７６Ｒ内の第１昇降発光基板１８１の下部に第１供給配線２５５の下端を接続し、第１供給配線２５５の上端をユニット取付枠９７側へ引き出してユニット取付枠９７上の第１中継基板２５６に接続している。
【００７６】
また、第２昇降装飾ユニット１７２は、第２昇降役物本体部１９６毎に収納された第２昇降発光基板２０１同士（言い換えると第２昇降役物本体部１９６毎に収納された第２昇降発光体１９７同士）を電気的に接続する第２光源接続配線を２本備え（図示せず）、一方の第２光源接続配線を第２アーム側役物本体部１９６Ｒの上縁部から第２中間役物本体部１９６Ｃの下縁部へ向けて延設し、他方の第２光源接続配線を第２アーム側役物の上縁部から第２ステージ側役物本体部１９６Ｆの下縁部へ向けて延設している。さらに、図１９に示すように、第２ステージ側役物本体部１９６Ｆの上縁部には、後方に位置する他の第２昇降役物本体部１９６（第２中間役物部、第２アーム側役物本体部１９６Ｒ）側へ向けて延在する第２配線カバー２５８を備え、該第２配線カバー２５８により他の第２昇降役物本体部１９６の上縁部および第２アーム側役物本体部１９６Ｒの上縁部から引き出された第２光源接続配線を上方から被覆可能としている。したがって、昇降役物ユニット９６を上昇状態に変換して第２昇降装飾ユニット１７２を第２装飾展開状態に設定すると、第２光源接続配線が最も下方に位置する第２アーム側役物本体部１９６Ｒから他の第２昇降役物本体部１９６へ向けて延設され、第２配線カバー２５８が最も上方に位置する第２ステージ側役物本体部１９６Ｆの上縁部から延設される。また、第２昇降ユニットアーム１９８の側辺部内には、各第２昇降発光基板２０１に電力や信号を供給する第２供給配線（図示せず）を通し、２本の第２光源接続配線が接続された第２アーム側役物本体部１９６Ｒ内の第２昇降発光基板２０１の下部に第２供給配線の下端を接続し、第２供給配線の上端をユニット取付枠９７側へ引き出してユニット取付枠９７上の第２中継基板に接続している（図示せず）。
【００７７】
さらに、遊技盤５は、包囲枠体３０と変動表示装置３１との間に、表示部３１ａに表示される演出表示とは異なる補助表示を実行して演出を行う補助演出ユニット２６０を備えている。補助演出ユニット２６０は、図３２（ａ）に示すように、表示部３１ａの前方に重なって配置される矩形状の透明な導光板２６１と、該導光板２６１の外方に配置された補助表示光源２６２とを備えて構成されている。導光板２６１は、透明アクリルや透明ガラスなどの透光性部材で構成された平板であり、遊技者が当該導光板２６１を通して表示部３１ａ上の演出表示を視認可能としている。また、表示部３１ａ側を向いた裏面のうち遊技盤５の前方から見て表示部３１ａの各変動表示領域３１ｂと重なる箇所には、変動表示領域３１ｂ毎に対応する補助表示領域２６５（左側補助表示領域２６５Ｌ，中央補助表示領域２６５Ｃ，右側補助表示領域２６５Ｒ）をそれぞれ設定している。また、各補助表示領域２６５にはドット溝２６７を複数刻設して、複数の花びらの輪郭を表現するドットパターンをそれぞれ施している。また、補助表示領域２６５毎に形成されたドット溝２６７には光屈曲部２６７ａを形成し、当該補助表示領域２６５を照射対象として補助表示光源２６２から照射された光のみを光屈曲部２６７ａにより導光板２６１の前方へ向けて屈曲させ、当該補助表示領域２６５を照射対象としない光については、導光板２６１の前方へ屈曲させずに導光板２６１の側方へ透過させるように構成されている。したがって、照射対象となった補助表示領域２６５においてのみドットパターンが屈曲光により光り、複数の花びらの輪郭を表示して補助表示を実行できるように構成されている。
【００７８】
補助表示光源２６２は、補助表示領域２６５毎に対応して光を照射する照明装置２６９を導光板２６１の縁に沿って複数並べて構成されている。具体的には、導光板２６１の左右両側の上方には、導光板２６１の左右両側に位置する補助表示領域２６５に光を照射する照明装置２６９（左側表示用照明装置２６９Ｌ，右側表示用照明装置２６９Ｒ）をそれぞれ配置し、導光板２６１の側方（図３２（ａ）中、左側方）には、導光板２６１の左右方向の中央に設定された補助表示領域２６５に光を照射する照明装置２６９（中央表示用照明装置２６９Ｃ）を配置している。各照明装置２６９は、図３３（ａ）に示すように、導光板２６１の縁に沿って長尺な照明ケース２７２のうち導光板２６１側を開放し、該照明ケース２７２内にはＬＥＤ等の発光素子２７３が実装された発光基板２７４を発光素子２７３が導光板２６１側を向いた状態で収納し、照明ケース２７２の開放口には、発光素子２７３からの光を拡散する拡散レンズ２７５を配置し、導光板２６１のうち照明装置２６９が対向する縁部全体に亘って光が照射されるように構成されている（図３３（ｂ）参照）。なお、各照明装置２６９の位置は、導光板２６１の上方または左側方に限定されない。要は、光屈曲部２６７ａが照明装置２６９からの光を導光板２６１の前方へ屈曲可能であれば、導光板２６１の下方や右側方に配置してもよい。
【００７９】
次に、パチンコ遊技機１の遊技進行等の制御を行う遊技制御装置２８０、および該遊技制御装置２８０を中心とする制御系統について説明する。
遊技制御装置２８０は、図３４に示すように、遊技制御を司るＣＰＵ、遊技制御のための制御プログラム等を記憶しているＲＯＭ、および遊技制御時にワークエリアとして利用されるＲＡＭ、入力部（入力インターフェース）、出力部（出力インターフェース）等から構成されている。そして、各種検出装置（磁気センサスイッチ２８１、振動センサスイッチ２８２、第１始動口スイッチ２８３、第２始動口スイッチ２８４、ゲートスイッチ２８５、入賞口スイッチ２８６、カウントスイッチ２８７、前面枠開放検出スイッチ２８８、保持枠開放検出スイッチ２８９、電源装置２９０等）からの検出信号を受けて、特別遊技状態（大当り状態）、遊技者に対する報知、停電対応処理等、種々の処理を行う。さらに、演出制御装置２９５や払出制御装置２９６の他、大入賞口４５を開閉するための大入賞口ソレノイド２９７、普通電動役物４２ａを開閉するための普電ソレノイド２９８、一括表示装置４９、外部情報端子２９９等に指令信号を送信して、遊技を統括的に制御する。
【００８０】
演出制御装置２９５は、図３５に示すように、演出制御を司るＣＰＵ、演出制御のための制御プログラムを格納したＰＲＯＭ、画像データ等を格納した画像ＲＯＭ、画像制御時のワークエリアとして利用されるＶＲＡＭ、入力インターフェース、出力インターフェース等から構成されている。そして、パチンコ遊技機１における遊技の進行に伴って発生する信号、具体的には、遊技制御装置２８０からの制御信号、遊技演出用ボタン１８に設けられたスイッチからの信号、各演出用役物装置５４に設けられた各センサからの信号等に基づいて、演出用役物装置（制御対象部）５４の演出動作を制御する。詳しくは、変動表示装置３１の表示部３１ａの表示、上側スピーカ２１や下側スピーカ１５からの効果音出力、遊技盤５に設けられた演出用役物装置５４の発光体等を含む盤装飾装置３００の発光や透明部材保持枠８に設けられたＬＥＤ等の枠装飾装置３０１の発光、遊技盤５に設けられた演出用役物装置５４の各駆動源や透明部材保持枠８に設けられた演出部材（図示せず）を駆動する駆動源等の枠演出装置３０２の駆動を制御する。
【００８１】
次に、上記した構成を有する遊技盤５（パチンコ遊技機１）の作用、特に、包囲枠体３０の作用や補助演出ユニット２６０の作用について説明する。なお、遊技制御装置２８０は、予め変動表示ゲーム（特図変動表示ゲーム、普図変動表示ゲーム）を行っておらず、且つ特別遊技状態を発生していない状態（通常遊技状態）で遊技進行を制御しているものとする。また、演出制御装置２９５は、昇降役物ユニット９６を下降状態に設定し、補助演出ユニット２６０の動作を停止（照明装置２６９を消灯）する制御を実行し、演出役物ユニット９５に対しては、第１ユニットベース１１５を上昇状態に設定し、第１装飾本体部１２１および第２装飾本体部１５１の回転を停止する制御を実行しているものとする。
【００８２】
発射装置（図示せず）から発射された遊技球が発射球案内路２６を通って遊技領域２５へ飛入し、包囲枠体３０の上方を通過して緩衝部材３４まで到達すると、この遊技球は、緩衝部材３４に衝接して飛翔勢を弱められ、下方へ落下して球流下領域８２の球入口８２ａへ進入する。そして、球流下領域８２内を流下して球出口８２ｂから遊技領域２５のうち包囲枠体３０の下方へ放出され、さらには遊技領域２５の下端まで到達してアウト口４８に回収される。このように、側縁区画壁８０とガイド壁８１とにより区画形成される球流下領域８２をセンターケースユニット５１に備えれば、センターケースユニット５１を大型化したとしても、遊技領域２５の一側縁に遊技球を流下させることができる。したがって、遊技球の移動範囲が狭くなったという印象を遊技者に与え難くすることができ、遊技の興趣の低減を抑えることができる。また、流下領域装飾カバー８４を透光性部材で形成したので、球流下領域８２内の遊技球の挙動を流下領域装飾カバー８４を通して遊技者に見せることができ、遊技の興趣の向上を図ることができる。さらに、球流下領域８２の球入口８２ａを遊技領域２５のうちセンターケースユニット５１の上方へ向けて開口し、球出口８２ｂを遊技領域２５のうちセンターケースユニット５１の下方へ向けて開口したので、遊技者は、遊技球が遊技領域２５の上部から下部に亘って大きく移動する挙動を観賞することができ、遊技の興趣を一層向上させることができる。
【００８３】
そして、球流下領域８２には複数の衝接突起８５を当該球流下領域８２の延在方向に沿って側縁区画壁８０およびガイド壁８１から互い違いに突設しているので、遊技球を衝接突起８５に次々と衝接させて流下勢を弱めることができ、遊技球が球流下領域８２内を移動する時間、ひいては球流下領域８２内における遊技球の挙動の観賞時間を長引かせて遊技者を楽しませることができる。さらに、側縁区画壁８０をサイドケース２４およびケース接続部材３３から離間しているので、遊技球が衝接突起８５に衝接した際に発生する衝撃がサイドケース２４およびケース接続部材３３に伝達することを阻止でき、サイドケース２４およびケース接続部材３３が損傷し易くなる不都合を抑制することができる。
【００８４】
また、遊技領域２５に飛入した遊技球が普図始動ゲート３６へ入賞（通過）すると、遊技制御装置２８０が普図変動表示ゲームを実行し、この普図変動表示ゲームの結果態様に応じて異なる制御信号を一括表示装置４９へ送信し、結果態様を示す普通図柄を一括表示装置４９で表示する制御を行う。そして、普図変動表示ゲームの結果態様が「当り」を示す状態になった場合には、第２始動口４２の普通電動役物４２ａを開いて、遊技球が第２始動口４２へ入賞し易い状態に変換し、「はずれ」を示す状態になった場合には普通電動役物４２ａを閉じた状態に維持する。
【００８５】
さらに、遊技領域２５を流下する遊技球が球導入路６４の入口６４ａに流入すると、この遊技球は、球導入路６４を流下して球導入路６４の出口６４ｂからステージ部６０上へ排出され、ステージ部６０上を転動した後、球放出部６６や入賞誘導路６７からステージ部６０の前方へ放出される。そして、球放出部６６から放出された場合には、遊技領域２５のうち始動入賞領域４３から外れた箇所へ流下し易く、したがって、始動入賞領域４３へ入賞し難い。さらに、入賞誘導路６７から放出された場合には、遊技領域２５のうち始動入賞領域４３の直上へ流下し易く、したがって、始動入賞領域４３へ入賞し易い。
【００８６】
そして、遊技球が始動入賞領域４３のうち第１始動口４１へ入賞して第１始動口スイッチ２８３により検出されると、遊技制御装置２８０が第１始動口４１への入賞を契機（始動条件）にして第１特図変動表示ゲームを実行し、始動入賞領域４３のうち第２始動口４２へ入賞して第２始動口スイッチ２８４により検出されると、遊技制御装置２８０が第２始動口４２への入賞を契機（始動条件）にして第２特図変動表示ゲームを実行する。さらに、遊技制御装置２８０は、各特図変動表示ゲームの結果態様に応じて異なる制御信号を一括表示装置４９および演出制御装置２９５へ送信する。この結果、一括表示装置４９では結果態様を示す特別図柄を表示し、演出制御装置２９５では、各特図変動表示ゲームの進行に応じた表示（ゲームの結果態様が決定する前の段階の演出表示であって、各変動表示領域３１ｂにおける識別情報の変動表示）や演出用役物装置５４による装飾動作（役物動作）に応じた表示を変動表示装置３１に実行させる制御を実行し、その後に、結果態様に対応する演出表示（具体的には、各変動表示領域３１ｂにおいて識別情報を変動表示した後に停止表示する演出表示）を変動表示装置３１に実行させる制御を行う。そして、各特図変動表示ゲームの結果態様が「大当り」であった場合には、遊技制御装置２８０は、予め設定された期間に亘って特別遊技状態を発生させて大入賞口４５を開き、遊技球が大入賞口４５に入賞し易い状態に変換する一方、「はずれ」であった場合には、大入賞口４５を閉じた状態に維持して、遊技球の大入賞口４５への入賞を規制する。
【００８７】
さらに、演出制御装置２９５は、変動表示装置３１における演出表示の制御とともに、演出用役物装置５４の演出動作（装飾動作）の制御や補助演出ユニット２６０の表示制御を実行する。昇降役物ユニット９６による演出動作に関しては、例えば、図３６のタイムチャートに示すように、変動表示装置３１が各特図変動表示ゲームの進行に応じた表示を実行している期間において、まず、昇降役物ユニット９６を下降状態に維持して第１ステージ側役物本体部１７６Ｆおよび第２ステージ側役物本体部１９６Ｆをステージ部６０の後方に位置させておき、この状態で、第１ステージ側役物本体部１７６Ｆ内の第１昇降発光体１７７および第２ステージ側役物本体部１９６Ｆ内の第２昇降発光体１９７を発光させる。すると、第１ステージ側役物本体部１７６Ｆおよび第２ステージ側役物本体部１９６Ｆからの光が仕切り壁部７１を通ってステージ部６０に照射され、予め設定された期間（ステージ照射期間）に亘ってステージ部６０の発光装飾が実行される。したがって、ステージ部６０の周辺で演出動作を実行する構成要素がステージ部６０に光を照射する発光手段としても機能することができる。これにより、ステージ部６０の発光手段を配置するスペースを、演出動作実行用の構成要素（昇降役物ユニット９６）を配置するスペースとは別個に確保する必要がなく、限られたパチンコ遊技機１内のスペースを有効に活用しつつ遊技の興趣を高めることができる。
【００８８】
また、ステージ照射期間が経過した後には、第１ステージ側役物本体部１７６Ｆ内の第１昇降発光体１７７および第２ステージ側役物本体部１９６Ｆ内の第２昇降発光体１９７を消灯し、昇降役物ユニット９６を予め設定された期間（第１演出期間）に亘って複数回小刻みに動かして遊技者の演出動作に対する期待を煽る。このとき、昇降役物ユニット９６は、演出制御装置２９５による演出制御に基づいて、下降状態から第１昇降装飾ユニット１７１および第２昇降装飾ユニット１７２を動かして上昇させ、上昇状態に変換する手前の中間状態で停止して下降状態に戻す。また、中間状態では昇降役物ユニット９６における全ての第１昇降発光体１７７および第２昇降発光体１９７を発光する。第１演出期間が経過したならば、演出制御装置２９５は、予め設定された期間（第２演出期間）に亘って昇降役物ユニット９６を下降状態に維持するとともに全ての第１昇降発光体１７７および第２昇降発光体１９７を消灯する制御を行い、第２演出期間の経過後には、予め設定された期間（第３演出期間（上昇期間））に亘って昇降役物ユニット９６を上昇状態へ変換するとともに、全ての第１昇降発光体１７７および第２昇降発光体１９７を発光する制御を行う。さらに、変動表示装置３１において役物動作に応じた演出表示を行う制御を実行し、該演出表示を昇降役物ユニット９６に形成した表示視認空間部２４８からセンターケースユニット５１の前方へ臨ませる。第３演出期間が経過したならば、昇降役物ユニット９６を上昇状態から下降状態へ変換し、昇降役物ユニット９６が下降状態に変換した後に全ての第１昇降発光体１７７および第２昇降発光体１９７を消灯する制御を行い、さらには、変動表示装置３１に対しては、ゲーム進行に応じた演出表示に戻す制御を行う。
【００８９】
このようにして演出動作を実行する昇降役物ユニット９６においては、下降状態に変換すると、複数の第１昇降役物本体部１７６を重ねて配置するとともに複数の第２昇降役物本体部１９６を重ねて配置し、上昇状態に変換すると、複数の第１昇降役物本体部１７６を上下方向にずらして配置するとともに複数の第２昇降役物本体部１９６を上下方向にずらして配置するので、広い収納空間を必要とせず、装飾演出時には収納状態よりも広がって演出効果を高めることができる。また、第１昇降役物本体部１７６毎に第１昇降発光体１７７をそれぞれ実装し、第２昇降役物本体部１９６毎に第２昇降発光体１９７をそれぞれ実装しているので、各昇降役物本体部１７６，１９６を別個に発光装飾することができ、昇降役物ユニット９６による演出効果の向上を図ることができる。さらに、第１光源接続配線２５３を上昇状態において最も下方に位置する第１アーム側役物本体部１７６Ｒから他の第１昇降役物本体部１７６へ向けて延設し（図３０参照）、第２光源接続配線を上昇状態において最も下方に位置する第２アーム側役物本体部１９６Ｒから他の第２昇降役物本体部１９６へ向けて延設したので、演出動作を行わない箇所から各光源接続配線を引き出す場合と比べて、昇降役物本体部１７６，１９６の演出動作に伴う各光源接続配線の動きを小さくすることができる。したがって、各光源接続配線が曲げ動作により受ける負荷を小さく抑えることができ、各光源接続配線を断線し難くすることができる。
【００９０】
また、第１ステージ側役物本体部１７６Ｆの上縁部に第１配線カバー２５４を備えて第１光源接続配線２５３を上方から被覆し、第２ステージ側役物本体部１９６Ｆの上縁部に第２配線カバー２５８を備えて第２光源接続配線を上方から被覆するので、昇降役物ユニット９６の演出動作時に第１光源接続配線２５３および第２光源接続配線が遊技者の目障りになることを避けることができる。さらに、昇降役物ユニット９６の上昇状態においては、変動表示装置３１における演出表示が表示視認空間部２４８を通して視認可能となるので、昇降役物ユニット９６における演出と変動表示装置３１における演出との相乗効果を期待することができる。
【００９１】
なお、昇降役物ユニット９６における発光装飾は、本実施形態における発光パターンに限定されない。例えば、第１アーム側役物本体部１７６Ｒおよび第２アーム側役物本体部１９６Ｒに限定して発光装飾を実行したり、第１中間役物本体部１７６Ｃおよび第２中間役物本体部１９６Ｃに限定して発光装飾を実行したりしてもよい。また、昇降発光体１７７，１９７の発光色や、透光窓部１８２，２０２の色を昇降役物本体部毎に異ならせて設定してもよい。
【００９２】
演出役物ユニット９５による演出動作に関しては、本実施形態では昇降役物ユニット９６と当接して干渉する虞があるため、昇降役物ユニット９６の演出動作とは連動せず、変動表示装置３１における表示動作および補助演出ユニット２６０における表示動作と連動して行われる。例えば、演出制御装置２９５は、各特図変動表示ゲームの進行に応じた表示を変動表示装置３１で実行している最中に、まず予め設定されたタイミングで第２本体駆動機構１５２を駆動する制御（第２装飾制御）を実行して、全ての第２装飾本体部１５１を回動して第２可動役物ユニット１０２（第２装飾本体部１５１）に装飾動作を行わせる。次に、第２装飾本体部１５１を回動し続けた状態で第１本体駆動機構１２２を駆動する制御（第１装飾制御）を実行して、全ての第１装飾本体部１２１を回動して第１可動役物ユニット１０１（第１装飾本体部１２１）に装飾動作を行わせる。
【００９３】
第１装飾本体部１２１および第２装飾本体部１５１を回動したならば、これらの回動を維持した状態で第１ユニット駆動機構１１６を駆動する制御（第１ユニット動作制御）を実行して、第１ユニットベース１１５に第１ユニット動作を行わせて上昇状態から下降状態へ変換する。これにより、演出用役物装置５４（演出役物ユニット９５）における演出動作を次第に追加して実行することができ、遊技者に演出動作が盛り上がっていく様子を見せて十分に楽しませようとすることができる。したがって、演出用役物装置５４の一部が変動表示装置３１の前方に移動したとしても、十分な演出効果を期待することができる。さらに、表示部３１ａの上方には第１可動役物ユニット１０１を配置し、表示部３１ａの側方には第２可動役物ユニット１０２を配置したことにより、演出動作が変動表示装置３１の側方から上方へ伝播したかのように見せることができ、視覚効果の向上を一層高めることができる。
【００９４】
また、第２装飾制御において全ての第２装飾本体部１５１に装飾動作を行わせた後、第１装飾制御において全ての第１装飾本体部１２１に装飾動作を行わせるので、第１可動役物ユニット１０１上の演出動作および第２可動役物ユニット１０２上の演出動作を十分に目立たせることができる。さらに、第１本体駆動機構１２２には単一の第１本体駆動モータ１２６を備えて全ての第２装飾本体部１５１を回動可能とし、第２本体駆動機構１５２には単一の第２本体駆動モータ１５７を備えて全ての第１装飾本体部１２１を回動可能としたので、第１装飾本体部１２１毎および第２装飾本体部１５１毎に駆動源を備えずに済み、演出の実行に必要な構成をシンプルにすることができる。そして、第２本体駆動機構１５２においては、連結回動軸１６５ａの両端に連結ギア１６５ｂが共回り状態でそれぞれ設けられた連結ギアユニット１６５を備え、連結ギアユニット１６５を配置して隣り合う第２回動ギア１６１を前後にずらして配置したので、第２回動ギア１６１と共回りする第２装飾本体部１５１のレイアウトの自由度を増すことができる。
【００９５】
さらに、装飾パネル７８と変動表示装置３１との間に第２可動役物ユニット１０２を備えたので、球流下領域８２内の遊技球の挙動と第２可動役物ユニット１０２における演出動作との相乗効果を期待することができ、遊技の興趣の更なる向上を図ることができる。また、装飾パネル７８には装飾視認窓部８９を設けて第２可動役物ユニット１０２の第２装飾本体部１５１をセンターケースユニット５１の前方から視認可能としたので、遊技者が第２可動役物ユニット１０２における演出動作を視認し易い。さらに、包囲枠体３０には、第２可動役物ユニット１０２の他に、昇降役物ユニット９６と第１可動役物ユニット１０１とを備え、昇降役物ユニット９６をセンターケースユニット５１の表示開口部５６の下縁部と変動表示装置３１との間に配置し、第１可動役物ユニット１０１をセンターケースユニット５１の表示開口部５６の上縁部と変動表示装置３１との間に配置しているので、演出動作を実行可能な構成要素を包囲枠体３０に複数備えることができ、複雑な演出を遊技者に見せることができる。また、大型のセンターケースユニット５１を備えているので、演出動作用の構成要素を配置する空間部を十分に確保することができ、複数の演出動作用の構成要素を備え易くすることができる。
【００９６】
そして、演出役物ユニット９５の演出動作と、変動表示装置３１における表示動作および補助演出ユニット２６０における表示動作との連動は、第１ユニットベース１１５の第１ユニット動作時（演出制御装置２９５による第１ユニット動作制御の実行時）に行われる。具体的には、演出制御装置２９５は、変動表示装置３１の変動表示領域３１ｂにおいて識別情報を変動表示させておき、図３７のタイムチャートに示すように、第１ユニット動作制御を実行し始めて第１ユニットベース１１５が上昇状態から下方へ移動している最中に、左側表示用照明装置２６９Ｌおよび右側表示用照明装置２６９Ｒを点灯する制御を実行して、導光板２６１の左側補助表示領域２６５Ｌおよび右側補助表示領域２６５Ｒにおいて補助表示を行う（図３８（ａ）参照）。また、第１ユニットベース１１５が下降状態へ変換したことを契機にして、左側表示用照明装置２６９Ｌおよび右側表示用照明装置２６９Ｒを消灯とともに中央表示用照明装置２６９Ｃを点灯する制御を実行して、導光板２６１の左側補助表示領域２６５Ｌおよび右側補助表示領域２６５Ｒにおける補助表示を停止するとともに中央補助表示領域２６５Ｃにおいて補助表示を行う（図３８（ｂ）参照）。
【００９７】
さらに、第１ユニットベース１１５が下降状態から上方へ移動して上昇状態に戻る最中には、まず、第１ユニットベース１１５が上昇し始めたタイミングで、中央表示用照明装置２６９Ｃを消灯するとともに右側表示用照明装置２６９Ｒを点灯する制御を実行して、中央補助表示領域２６５Ｃにおける補助表示を停止するとともに右側補助表示領域２６５Ｒにおいて補助表示を行う。そして、第１ユニットベース１１５が上昇している途中、例えば、第１ユニットベース１１５の先端部が左側補助表示領域２６５Ｌの前方に到達したタイミングで、右側表示用照明装置２６９Ｒを消灯するとともに左側表示用照明装置２６９Ｌを点灯する制御を実行して、右側補助表示領域２６５Ｒにおける補助表示を停止するとともに左側補助表示領域２６５Ｌにおいて補助表示を行う。
【００９８】
このようにして補助演出ユニット２６０が第１ユニットベース１１５の第１ユニット動作を契機にして補助表示を実行するので、第１可動役物ユニット１０１の演出動作を際立たせることができ、第１可動役物ユニット１０１による演出と補助演出ユニット２６０による演出との相乗効果を期待することができる。また、補助演出ユニット２６０が変動表示領域３１ｂに対応して設定された補助表示領域２６５にて補助表示を実行し、さらに、演出制御装置２９５が第１ユニットベース１１５の第１ユニット動作および補助演出ユニット２６０における補助表示と、変動表示装置３１における識別情報の変動表示と、を連動させる制御を実行するので、変動表示ゲームの結果態様に対する期待感を遊技者に与えることができ、遊技の興趣の向上を図ることができる。そして、補助演出ユニット２６０を導光板２６１と補助表示光源２６２とで構成し、導光板２６１上に設定された補助表示領域２６５には光屈曲部２６７ａを形成し、該光屈曲部２６７ａにより屈曲された光により補助表示を実行するように構成したので、従来にない斬新な演出表示を実行可能な補助演出ユニット２６０を簡単な構成で実現することができる。また、導光板２６１を透明にしたので、発光表示される補助表示が宙に浮いているかのように遊技者に見せることができ、一層斬新な演出表示を行うことができる。しかも、補助演出ユニット２６０が補助表示を実行していない状態（非実行状態）においては、変動表示装置３１における表示が見え難くなることがない。
【００９９】
なお、第１ユニットベース１１５が変動表示領域３１ｂの前方を通過するタイミングに合わせて、変動表示装置３１が表示中の識別情報を異なる識別情報へ変動させるように設定すれば、第１ユニットベース１１５が識別情報をめくったかのように演出表示を実行することができて好適である。
【０１００】
ところで、上記実施形態では、第１装飾本体部１２１および第２装飾本体部１５１が回動により装飾動作を行い、第１ユニットベース１１５が上下方向への移動により第１ユニット動作を行うように構成されたが、本発明はこれに限定されない。要は、互いに異なる動作であれば、第１ユニットベース１１５の第１ユニット動作と、第１装飾本体部１２１および第２装飾本体部１５１の装飾動作とをどのような動作に設定してもよい。例えば、第１ユニット動作を第１ユニットベース１１５のスライド、変形、視認不能状態から視認可能状態への変換、およびこれらの組み合わせにより実現し、第１装飾本体部１２１および第２装飾本体部１５１の装飾動作を、スライド、変形、視認不能状態から視認可能状態への変換、およびこれらの組み合わせにより第１ユニット動作とは異なる動作で実現してもよい。また、第１装飾本体部１２１と第２装飾本体部１５１とは、同じ動作（本実施形態では、同じ方向への回動）により装飾効果を発揮するように設定すれば、第２可動役物ユニット１０２における動きが第１可動役物ユニット１０１にも広がったという印象を遊技者に与えることができ、遊技者の遊技に対する期待を増大させることができるが、本発明はこれに限定されない。例えば、第１装飾本体部１２１と第２装飾本体部１５１とが互いに類似する動作（互いに異なる方向へのスライド動作や、互いに異なる方向への回動等）を行うように設定してもよい。
【０１０１】
また、上記実施形態では、補助表示を実行可能な補助演出手段として補助演出ユニット２６０を挙げたが、本発明はこれに限定されない。要は、変動表示装置３１における演出表示とは異なる補助表示を実行できれば、どのような構成の補助演出手段でどのような補助表示を実行してもよい。例えば、補助演出手段を変動表示装置３１とは別個に設けず、変動表示装置３１において補助表示を遊技球の入賞に基づく演出表示とは異なる態様で実行してもよい。言い換えると、変動表示装置３１が補助演出手段としても機能するように設定してもよい。また、変動表示装置３１とは異なる表示手段、例えば、イラストが記載された透明な表示板を補助演出手段として構成し、該表示板を変動表示装置３１の前方に移動するなどして遊技者がイラストを視認可能な状態に変換して補助表示を行うように設定してもよい。さらに、これらの例示を組み合わせて補助演出手段を実現してもよい。
【０１０２】
そして、上記実施形態では、第２可動役物ユニット１０２を表示部３１ａの右側方に配置したが、本発明はこれに限定されない。要は、第２可動役物ユニット１０２を表示部３１ａの側方に配置すればよく、したがって、表示部３１ａの左側方に配置してもよい。
【０１０３】
さらに、上記実施形態では、昇降役物ユニット９６を下降状態に変換すると、昇降役物ユニット９６の前面全体が仕切り壁部７１により前方から被覆されるように設定したが、本発明はこれに限定されない。要は、下降状態の昇降役物ユニット９６から照射される光がステージ部６０に照射されて発光装飾を施すことができればよく、例えば、下降状態の昇降役物ユニット９６を当該昇降役物ユニット９６の上部が仕切り壁部７１の上端部よりも上方に突出した状態で位置させてもよい。そして、昇降役物ユニット９６の上昇状態と第１ユニットベース１１５における下降状態とが同時に設定されることを避けたが、本発明はこれに限定されない。取付位置やサイズを調整して昇降役物ユニット９６と第１ユニットベース１１５とが干渉しないように設定すれば、昇降役物ユニット９６と第１ユニットベース１１５とを同時に駆動して演出動作を行ってもよい。
【０１０４】
また、上記実施形態では、代表的な遊技機であるパチンコ遊技機を例にして説明したが、本発明はこれに限らず、遊技盤に区画形成された遊技領域内の始動入賞領域への遊技球の入賞に基づいて演出表示を表示部で実行可能な表示装置と、遊技領域のうち表示装置の前方に配置され、表示部を臨ませる表示開口部が中央部分に開設された枠体構造のセンターケースユニットと、を備えた遊技機であればどのような遊技機でもよい。例えば、封入球式パチンコ機、アレンジボール式遊技機、雀球式遊技機等の遊技機であってもよい。
【０１０５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【０１０６】
１  パチンコ遊技機
５  遊技盤
２２  遊技盤本体
２４  サイドケース
２５  遊技領域
２６  発射球案内路
３０  包囲枠体
３１  変動表示装置
３１ａ  表示部
３１ｂ  変動表示領域
３３  ケース接続部材
４３  始動入賞領域
５１  センターケースユニット
５２  枠体基部
５４  演出用役物装置
５６  表示開口部
５７  装飾ベース
６０  ステージ部
６７  入賞誘導路
７１  仕切り壁部
７７  領域区画部
７８  装飾パネル
８０  側縁区画壁
８１  ガイド壁
８２  球流下領域
８２ａ  球入口
８２ｂ  球出口
８４  流下領域装飾カバー
８８  パネル装飾部
８９  装飾視認窓部
９５  演出役物ユニット
９６  昇降役物ユニット
１０１  第１可動役物ユニット
１０２  第２可動役物ユニット
１１２  装飾動作ユニット
１１５  第１ユニットベース
１１６  第１ユニット駆動機構
１２１  第１装飾本体部
１２２  第１本体駆動機構
１２６  第１本体駆動モータ
１２７  第１回動伝達機構
１２９  第１本体駆動ギア
１３０  第１回動ギア
１３６  第１ユニット駆動モータ
１５０  第２ユニットベース
１５１  第２装飾本体部
１５２  第２本体駆動機構
１５７  第２本体駆動モータ
１５８  第２回動伝達機構
１５９  第２本体駆動ギア
１６１  第２回動ギア
１６５  連結ギアユニット
１６５ａ  連結回動軸
１６５ｂ  連結ギア
１７１  第１昇降装飾ユニット
１７２  第２昇降装飾ユニット
１７３  昇降駆動機構
１７６  第１昇降役物本体部
１７６Ｆ  第１ステージ側役物本体部
１７６Ｃ  第１中間役物本体部
１７６Ｒ  第１アーム側役物本体部
１７７  第１昇降発光体
１８２  透光窓部
１９６  第２昇降役物本体部
１９６Ｆ  第２ステージ側役物本体部
１９６Ｃ  第２中間役物本体部
１９６Ｒ  第２アーム側役物本体部
１９７  第２昇降発光体
２０２  透光窓部
２４８  表示視認空間部
２５３  第１光源接続配線
２５４  第１配線カバー
２６０  補助演出ユニット
２６１  導光板
２６２  補助表示光源
２６５  補助表示領域
２６５Ｌ  左側補助表示領域
２６５Ｃ  中央補助表示領域
２６５Ｒ  右側補助表示領域
２６７  ドット溝
２６７ａ  光屈曲部
２６９  照明装置
２６９Ｌ  左側表示用照明装置
２６９Ｃ  中央表示用照明装置
２６９Ｒ  右側表示用照明装置
２８０  遊技制御装置
２９５  演出制御装置
【図１】
0005427764.tif 000002
【図２】
0005427764.tif 000003
【図３】
0005427764.tif 000004
【図４】
0005427764.tif 000005
【図５】
0005427764.tif 000006
【図６】
0005427764.tif 000007
【図７】
0005427764.tif 000008
【図８】
0005427764.tif 000009
【図９】
0005427764.tif 000010
【図１０】
0005427764.tif 000011
【図１１】
0005427764.tif 000012
【図１２】
0005427764.tif 000013
【図１３】
0005427764.tif 000014
【図１４】
0005427764.tif 000015
【図１５】
0005427764.tif 000016
【図１６】
0005427764.tif 000017
【図１７】
0005427764.tif 000018
【図１８】
0005427764.tif 000019
【図１９】
0005427764.tif 000020
【図２０】
0005427764.tif 000021
【図２１】
0005427764.tif 000022
【図２２】
0005427764.tif 000023
【図２３】
0005427764.tif 000024
【図２４】
0005427764.tif 000025
【図２５】
0005427764.tif 000026
【図２６】
0005427764.tif 000027
【図２７】
0005427764.tif 000028
【図２８】
0005427764.tif 000029
【図２９】
0005427764.tif 000030
【図３０】
0005427764.tif 000031
【図３１】
0005427764.tif 000032
【図３２】
0005427764.tif 000033
【図３３】
0005427764.tif 000034
【図３４】
0005427764.tif 000035
【図３５】
0005427764.tif 000036
【図３６】
0005427764.tif 000037
【図３７】
0005427764.tif 000038
【図３８】
0005427764.tif 000039